(57)【要約】      （修正有）【課題】ユーザクライアントに接続してスキンケアを行うスキンケア装置を提供する。【解決手段】肌状態測定装置１とスキンケア装置（ケアエステ装置）２が接続可能なユーザクライアントとしてのスマートフォン３と、スマートフォンとインターネット４（ネットワーク）を介して接続可能なデータ管理サーバ５と、契約者クライアント６としての化粧品会社等の提携会社のコンピュータシステムとを備え、スキンケア装置は皮膚に対して所定のスキンケアを行う作動部２１と把持部とを有し、制御部を備えるユーザクライアントに接続して、ユーザクライアントの制御部により作動部を制御することを特徴とする。【選択図】図１
2014014516.tif 000002
【特許請求の範囲】
【請求項１】
皮膚に対して所定のスキンケアを行う作動部と把持部とを有し、制御部を備えるユーザクライアントに接続して、ユーザクライアントの制御部により作動部を制御することを特徴とするスキンケア装置。
【請求項２】
把持部にパイロットランプを１つ配設したことを特徴とする請求項１に記載のスキンケア装置。
【請求項３】
把持部にスキンケアをスタート・ストップするスイッチを１つ配設したことを特徴とする請求項１または２に記載のスキンケア装置。
【請求項４】
請求項１ないし３のいずれかに記載のスキンケア装置はイオン導入装置であって、作動部に電極部を設け、把持部に補助電極部を設けていることを特徴とするイオン導入装置。
【請求項５】
請求項１ないし３のいずれかに記載のスキンケア装置はイオンクレンジング装置であって、作動部に電極部を設け、把持部に補助電極部を設けていることを特徴とするイオンクレンジング装置。
【発明の詳細な説明】
【技術分野】
【０００１】
本発明は、例えば、スマートフォンや携帯電話やタブレット等の主に無線によりネットワークに接続可能な携帯クライアント（携帯端末）に、肌測定機装置を接続し、ネットワークを介してデータを送受することにより、肌の状態の測定と測定結果の分析とを行うとともに、測定結果や分析結果のデータ（測定データ、分析結果データ）を管理する肌状態測定分析情報管理システムおよび肌状態測定分析情報管理方法に関する。
【背景技術】
【０００２】
一般に、スキンケア用の化粧品や美容器具（スキンケア装置：ケアエステ装置）の販売において、例えば、肌の状態を知るために、肌用のカメラを用いて肌を拡大して撮影し、肌の状態を把握してから、肌の状態に対応するスキンケア用の化粧品、洗顔用品等やスキンケア用の器具を販売することが行われている。この場合に、肌の表面を拡大して撮影する肌状態測定装置（肌用カメラ）だけではなく、例えば、肌の水分量を測定する測定機器などの各種の肌用測定機器が用いられる場合があり、肌の拡大画像から肌の状態を判定したり、肌の水分量から肌の状態を判定したりしている。
【０００３】
この場合に、肌の状態の測定に肌用測定機器が設置され、かつ、測定結果から肌の状態を判定でき、肌の状態からスキンケア方法をアドバイスできる店員がいる店舗に行く必要があった。しかし、店舗まで行くのが煩わしかったり、店舗に行って上述のようなサービスを受けた後に商品の購入を勧められるのが煩わしかったりすることから、定期的に肌の状態を確認するようなことがし難かった。
【０００４】
そこで、携帯電話、スマートフォン、タブレット等の無線電話回線やその他の無線通信回線を介してインターネットにアクセス可能な携帯無線端末に、周辺機器としての肌状態測定装置を接続する。もしくは、携帯無線端末に設けられたカメラ等の内臓機器を肌状態測定装置の少なくとも一部として用いる。そして、肌状態測定装置の測定結果であるデータを、携帯無線端末を使って、測定結果から肌の状態を分析してくれる業者のサーバに送信することにより、化粧品販売の店舗に行かなくても肌の状態を分析することができるシステムが提案されている（例えば、特許文献１〜５参照）。この場合に、測定データを受け取ったサーバでは、例えば、測定結果の分析を自動で行ったり、測定データを表示させてオペレータに分析結果を入力させたりすることになる。
【０００５】
この場合に肌状態測定装置の購入等が必要になるが、このような肌測定用システムを用いることで、ユーザに負担をかけることなく、比較的短い期間で定期的に肌測定を行うことが可能になる。
【先行技術文献】
【特許文献】
【０００６】
【特許文献１】特開２００５−１４８７９７号公報
【特許文献２】特開２００４−３５４２０７号公報
【特許文献３】特開２００５−５６１６５号公報
【特許文献４】特開２００２−１５０６８号公報
【特許文献５】特開２００２−３６６６５１号公報
【発明の概要】
【発明が解決しようとする課題】
【０００７】
ところで、ユーザは、無線携帯端末に内蔵されたカメラを使うのでなければ、基本的に肌用カメラ等の肌状態測定装置を購入する必要がある。さらに、ユーザは、測定結果を分析してもらうために、課金される場合があり、定期的に肌の状態を知るには敷居が高いものとなる恐れがある。
【０００８】
一方、測定データが送られてくるサーバ側では、例えば、測定データやその分析結果等を蓄積可能である。また、測定データの分析にあたっては、サービスを提供する会社に対して、会員登録を必要とする場合があり、会員登録の際に、氏名、住所、電話番号、メールアドレス、生年月日、性別等の個人情報の入力を求めたり、アンケートへの協力をお願いしたりする場合がある。
【０００９】
この場合に、ユーザが増えれば、肌の測定結果、測定結果の分析結等のデータや、これらデータに関連づけられて、会員登録時のデータやアンケートのデータによる年齢、性別、居住地域といった情報が蓄積される。
【００１０】
この蓄積されたデータのデータ量が多くなれば、これらデータを分析して、新たなスキンケア商品の開発に利用可能であるが、現状では、肌測定結果を送信してもらうことにより、蓄積されるデータの有効利用が十分に図られていない。
【００１１】
また、エステティックサロン等の店舗では、例えば、ボディケアやフェイシャルケア等のスキンケア用の器具を用いた各種ケアが行われているが、家庭においても、小型のエステ用器具（スキンケア装置）を用いたスキンケアを行う人が増えている。
【００１２】
これらスキンケア装置の使用に際しては、肌を触った感じなどから感覚的に効果を感じられる場合もあるが、必ずしもスキンケアの効果が明確ではない。また、スキンケア装置をどの程度の時間行ったら効果的なのか、どの程度の頻度で行うと効果的なのかが明確ではない。
【００１３】
また、インターネット等のネットワークを介して肌状態測定装置を用いた測定結果の分析をユーザに対して利用し易いものとする上では、分析を無料化したり、肌状態測定装置の価格を低価格化したりすることが好ましい。この場合に、肌の測定結果の分析の無料化と、肌状態測定装置の低価格化との相乗効果により、会員数の増大を図ることができる。
ここで、肌状態測定装置の販売会社が肌の測定結果の分析のサービスを提供する場合に、同様の規格の肌状態測定装置を他社も販売可能であり、他社の肌状態測定装置で、サービスを提供している販売業者の肌状態測定装置と同様の測定結果を送信できる場合に、他社の肌状態測定装置のユーザと、サービスを提供している販売会社の肌状態測定装置のユーザとが同様のサービスを受けられる可能性がある。すなわち、例えば、スマートフォンに肌状態測定装置用のアプリをインストールして肌状態測定装置として、他社の肌状態測定装置が認識可能な場合に、他社の肌状態測定装置でもサービスを享受できてしまう可能性がある。この場合に、サービスを提供する販売会社の肌状態測定装置の売り上げに対する悪影響が生じる恐れがあり、無料でのサービス提供が難しくなる。
【００１４】
本発明は、上記事情に鑑みてなされたものであり、肌状態測定装置をユーザクライアント（スマートフォン）に接続し、肌状態測定装置による測定データを分析するサービスを提供する会社のサーバに送信して測定データの分析結果を得られる場合に、受信される測定データ等のデータの有効利用により、サービスの無料化、肌状態測定装置の低価格化を可能にする肌状態測定分析情報管理システムおよび肌状態測定分析情報管理方法を提供することを目的とする。
【課題を解決するための手段】
【００１５】
本発明の肌状態測定分析情報管理システムは、肌の状態を測定する肌状態測定装置と、
前記肌状態測定装置のユーザに使用され、かつ、前記肌状態測定装置とデータの送受信が行えるように接続されるとともに、ネットワークに接続してデータの送受信を行うユーザクライアントと、
前記ユーザクライアントに対して前記ネットワークを介してデータの送受信が可能にされているデータ管理サーバと、
前記肌状態測定装置により測定された肌の状態を分析する肌分析装置と、
前記データ管理サーバからデータを取得する契約に基づいて、前記データ管理サーバに対してデータの送受信を行う契約者クライアントと、
を備え、
前記ユーザクライアントは、前記データ管理サーバからの要求に基づいて、ユーザにより入力されるとともにユーザの個人情報を含み、かつ、各ユーザ毎に重複の無い一意の顧客ＩＤを含むユーザデータを前記データ管理サーバに送信するユーザデータ送信手段と、
前記肌状態測定装置により測定された測定データが当該肌状態測定装置から入力された場合に、入力された前記測定データおよび前記顧客ＩＤを前記データ管理サーバに送信する測定データ送信手段と、
前記測定データに対する分析結果データを受信した場合に前記分析結果データを表示する分析結果表示手段とを備え、
前記データ管理サーバは、複数の各ユーザクライアントから受信した前記顧客ＩＤを含むユーザデータが登録されるユーザデータ用データベースと、
前記ユーザクライアントから受信した前記測定データ、この測定データに基づいて前記肌分析装置により取得された分析結果データ、前記ユーザデータのうちの所定の個人情報を除いた付帯データおよび前記顧客ＩＤが互いに関連付けられて登録されるとともに、少なくとも前記測定データおよび前記分析結果データが、これらデータの取得時期に基づく履歴として登録される測定データ用データベースと、
前記契約者毎に設定された契約者１Ｄと、当該契約者ＩＤに関連付けられた前記付帯データの種類とが登録された契約者用データベースと、
前記契約者クライアントから前記測定データ用データベースに登録されたデータの取得を要求された場合に、前記契約者クライアントから入力される契約者ＩＤに基づいて前記契約者用データベースから前記付帯データの種類を取得し、前記測定データ用データベースに登録されたデータのうちの測定データと、各測定データに関連付けられ、かつ、取得された種類の付帯データとを契約者クライアントに送信するデータ提供手段とを備え、
前記肌分析装置は、前記測定データから肌の状態の分析結果を得るために、予め求められた前記測定データと肌の状態との対応関係に基づいて、各測定データにそれぞれ対応付けられている肌の状態の分析結果データが登録されているデータ分析用データベースと、
前記ユーザクライアントから前記データ管理サーバに送信された測定データに基づいて、前記データ分析用データベースから前記分析結果データを取得する分析結果取得手段と、前記測定データおよび前記顧客ＩＤを送信した前記ユーザクライアントが、前記分析結果取得手段で取得された分析結果データを得られるように当該分析結果データを出力する分析結果出力手段とを備え、
前記契約者クライアントは、前記契約者ＩＤを送信するとともに、前記データ管理サーバに前記測定データ用データベースに登録されたデータを要求するデータ要求手段と、
前記データ要求手段の要求に基づいて前記データ管理サーバから送信されたデータを受信して記憶する受信記憶手段とを備えることを特徴とする。
【００１６】
また、前記ユーザクライアントは、前記顧客ＩＤを送信するともに、前記測定データ用データベースまたは前記ユーザデータ用データベースから前記顧客ＩＤに関連付けて記憶された各データの送信を要求するデータ閲覧要求手段と、
前記データ閲覧要求手段により要求したデータが前記データ管理サーバから送信された場合に、送信されたデータを表示するデータ表示手段とを備え、
前記データ管理サーバは、前記データ閲覧要求手段の要求に基づき、前記データ閲覧要求手段から送信された前記顧客ＩＤに対応するユーザクライアントに、前記測定データ用データベースまたは前記ユーザデータ用データベースに登録されるとともに、前記ユーザクライアントから送信された前記顧客ＩＤに関連付けられたデータを送信するデータ閲覧用データ送信手段を備えることが好ましい。
【００１７】
また、前記データ管理サーバは、前記ユーザクライアントからの要求に応じて、前記測定データ用データベースに取得時期に基づいて履歴として記憶された測定データおよび／または分析結果データから取得時期の異なる二つ以上の測定データおよび／または分析結果データを抽出して前記ユーザクライアントに送信し、
前記ユーザクライアントは、これら取得時期の異なる測定データおよび／または分析結果データを取得時期順に互いに比較可能に表示する比較表示手段を備えることが好ましい。
【００１８】
また、前記肌状態測定装置には、当該肌状態測定装置を認証するための認証用文字列が記憶されるとともに、記憶された認証用文字列を外部に出力する装置認証記憶手段が設けられ、
前記ユーザクライアントは、接続された前記肌状態測定装置から出力される認証用文字列を前記データ管理サーバに送信する装置認証送信手段を備え、
前記データ管理サーバは、前記認証用文字列を認証する認証手段と、
前記認証手段に前記認証用文字列が認証されなかった前記ユーザクライアントから送信される測定データに対して、分析結果データの出力が行われることがないように制御する非認証装置排除手段とを備えることが好ましい。
【００１９】
前記肌状態測定装置は、肌を接写する肌用カメラであり、前記測定データとして画像データを出力し、
前記ユーザクライアントの前記測定データ送信手段は、前記肌状態測定装置から出力される画像データを前記データ管理サーバに送信し、
前記データ分析用データベースには、前記測定データとして画像データが登録され、
前記データ管理サーバは、前記肌状態測定装置において所定条件にしたがって撮像された画像データに基づいて、前記肌状態測定装置の個体差を校正する校正データを生成する校正手段と、
前記校正手段により生成された校正データと前記認証用文字列とを関連付けて登録する校正用データベースとを備え、
前記分析結果取得手段は、前記認証用文字列に基づいて校正用データベースから前記校正データを取得し、前記校正データにより前記画像データの校正、または、前記校正データに基づく前記肌状態測定装置の較正を行うことが好ましい。
【００２０】
また、前記ユーザクライアントに接続されることによりユーザクライアントから制御可能なスキンケア装置を備え、
前記ユーザクライアントまたはデータ管理サーバは、前記分析結果データに関連付けて前記スキンケア装置の制御方法が登録されているスキンケア用データベースと、
前記スキンケア装置が接続されるユーザクライアントから出力される顧客ＩＤに基づいて、前記測定データ用データベースから分析結果データを取得するスキンケア用データ取得手段と、
前記スキンケア用データ取得手段に取得された分析結果データに基づいてスキンケア用データベースからスキンケア装置の制御方法を取得する制御方法取得手段とを備え、
前記ユーザクライアントは、前記制御方法取得手段に取得された制御方法に基づいて前記スキンケア装置を制御することが好ましい。
【００２１】
また、前記ユーザクライアントは、前記スキンケア装置を制御するための制御データを記憶する制御データ記憶領域を有するとともに、前記制御データに基づき前記スキンケア装置を制御し、
前記データ管理サーバは、前記制御方法に基づいて前記ユーザクライアントの制御データ記憶領域に記憶される制御データを書き換える制御データ更新手段を備えることが好ましい。
【００２２】
また、本発明の肌状態測定分析情報管理方法は、肌の状態を測定する肌状態測定装置と、
前記肌状態測定装置のユーザに使用され、かつ、前記肌状態測定装置とデータの送受信が行えるように接続されるとともに、ネットワークに接続してデータの送受信を行うユーザクライアントと、
前記ユーザクライアントに対して前記ネットワークを介してデータの送受信が可能にされているデータ管理サーバと、
前記肌状態測定装置により測定された肌の状態を分析する肌分析装置と、
前記データ管理サーバからデータを取得する契約に基づいて、前記データ管理サーバに対してデータの送受信を行う契約者クライアントとを備える肌測定システムで行われる肌状態測定分析管理方法であって、
前記ユーザクライアントは、前記データ管理サーバからの要求に基づいて、ユーザにより入力されるとともにユーザの個人情報を含み、かつ、各ユーザ毎に重複の無い一意の顧客ＩＤを含むユーザデータを前記データ管理サーバに送信するユーザデータ送信ステップと、
前記肌状態測定装置により測定された測定データが当該肌状態測定装置から入力された場合に、入力された前記測定データおよび前記顧客ＩＤを前記データ管理サーバに送信する測定データ送信ステップと、
前記測定データに対する分析結果データを受信した場合に前記分析結果データを表示する分析結果表示ステップとを実行し、
前記データ管理サーバは、複数の各ユーザクライアントから受信した前記顧客ＩＤを含むユーザデータをユーザデータ用データベースに登録するユーザデータ登録ステップと、
前記ユーザクライアントから受信した前記測定データ、この測定データに基づいて前記分析結果取得手段により取得された分析結果データ、前記ユーザデータのうちの所定の個人情報を除いた付帯データおよび前記顧客ＩＤを互いに関連付けて測定データ用データベースに登録するとともに、登録に際し、少なくとも前記測定データおよび前記分析結果データを、これらデータの取得時期に基づく履歴として測定データ用データベースに登録する測定データ登録ステップと、
前記契約者クライアントから前記測定データ用データベースに登録されたデータの取得を要求された場合に、前記契約者クライアントから入力される契約者ＩＤに基づいて、前記契約者毎に設定された契約者１Ｄと、当該契約者ＩＤに関連付けられた前記付帯データの種類とが登録された契約者用データベースから前記付帯データの種類を取得し、前記測定データ用データベースに登録されたデータのうちの測定データと、各測定データに関連付けられ、かつ、取得された種類の付帯データとを契約者クライアントに送信するデータ提供ステップとを実行し、
前記肌分析装置は、前記測定データから肌の状態の分析結果を得るために、予め求められた前記測定データと肌の状態との対応関係に基づいて、各測定データにそれぞれ対応付けられている肌の状態の分析結果データが登録されているデータ分析用データベースから前記ユーザクライアントから受信した前記測定データに基づいて、前記分析結果データを取得する分析結果取得ステップと、
前記測定データおよび前記顧客ＩＤを送信した前記ユーザクライアントが前記肌分析装置により取得された分析結果データを得られるように当該分析結果データを出力する分析結果出力ステップとを実行し、
前記契約者クライアントは、前記契約者ＩＤを送信するとともに、前記データ管理サーバに前記測定データ用データベースに登録されたデータを要求するデータ要求ステップと、
前記データ要求手段の要求に基づいて前記データ管理サーバから送信されたデータを受信して記憶する受信記憶ステップとを実行することを特徴とする。
【００２３】
また、前記ユーザクライアントは、前記顧客ＩＤを送信するともに、前記測定データ用データベースまたは前記ユーザデータ用データベースから前記顧客ＩＤに関連付けて記憶された各データの送信を要求するデータ閲覧要求ステップと、
前記データ閲覧要求ステップにより要求したデータが前記データ管理サーバから送信された場合に、送信されたデータを表示するデータ表示ステップとを実行し、
前記データ管理サーバは、前記データ閲覧要求ステップでの要求に基づき、前記データ閲覧要求ステップにおいて送信した前記顧客ＩＤに対応するユーザクライアントに、前記測定データ用データベースまたは前記ユーザデータ用データベースに登録されるとともに、前記ユーザクライアントから送信された前記顧客ＩＤに関連付けられたデータを送信するデータ閲覧用データ送信ステップを実行することが好ましい。
【００２４】
また、前記データ管理サーバは、前記ユーザクライアントからの要求に応じて、前記測定データ用データベースに取得時期に基づいて履歴として記憶された測定データおよび／または分析結果データから取得時期の異なる二つ以上の測定データおよび／または分析結果データを抽出して前記ユーザクライアントに送信し、
前記ユーザクライアントは、これら取得時期の異なる測定データおよび／または分析結果データを取得時期順に互いに比較可能に表示する比較表示ステップを実行することが好ましい。
【００２５】
前記肌状態測定装置には、当該肌状態測定装置を認証するための認証用文字列が記憶されるとともに、記憶された認証用文字列を外部に出力する装置認証記憶手段が設けられ、
前記ユーザクライアントは、接続された前記肌状態測定装置から出力される認証用文字列を前記データ管理サーバに送信する装置認証送信ステップを実行し、
前記データ管理サーバは、前記認証用文字列を認証する認証ステップと、
前記認証手段に前記認証用文字列が認証されなかった前記ユーザクライアントから送信される測定データに対して、分析結果データの出力が行われることがないように制御する非認証装置排除手段とを備えることが好ましい。
【００２６】
前記肌状態測定装置は、肌を接写する肌用カメラであり、前記測定データとして画像データを出力し、
前記ユーザクライアントの前記測定データ送信ステップでは、前記肌状態測定装置から出力される画像データを前記データ管理サーバに送信し、
前記データ分析用データベースには、前記測定データとして画像データが登録されているものとし、
前記データ管理サーバは、前記肌状態測定装置において所定条件にしたがって撮像された画像データに基づいて、前記肌状態測定装置の個体差を校正する校正データを生成する校正ステップと、
前記校正ステップにより生成された校正データと前記認証用文字列とを関連付けて校正用データベースに登録する校正登録ステップとを実行し、
前記分析結果取得ステップでは、前記認証用文字列に基づいて校正用データベースから前記校正データを取得し、前記校正データにより前記画像データの校正、または、前記校正データに基づく前記肌状態測定装置の較正を行うことが好ましい。
【００２７】
肌状態測定分析情報管理システムは、前記ユーザクライアントに接続されることによりユーザクライアントから制御可能なスキンケア装置を備え、
前記ユーザクライアントまたはデータ管理サーバは、
前記スキンケア装置が接続されるユーザクライアントから出力される顧客ＩＤに基づいて、前記測定データ用データベースから分析結果データを取得するスキンケア用データ取得ステップと、
前記スキンケア用データ取得ステップにおいて取得された分析結果データに基づいて、前記分析結果データに関連付けて前記スキンケア装置の制御方法が登録されているスキンケア用データベースからスキンケア装置の制御方法を取得する制御方法取得ステップを実行し、
前記ユーザクライアントは、前記制御方法取得ステップにおいて取得された制御方法に基づいて前記スキンケア装置を制御するスキンケア制御ステップを実行することが好ましい。
【００２８】
前記ユーザクライアントは、前記スキンケア装置を制御するための制御データを記憶する制御データ記憶領域を有するとともに、前記制御データに基づき前記スキンケア装置を制御し、
前記データ管理サーバは、前記制御方法に基づいて前記ユーザクライアントの制御データ記憶領域に記憶される制御データを書き換える制御データ更新ステップを実行することが好ましい。
【発明の効果】
【００２９】
本発明の肌状態測定分析情報管理システムおよび肌状態測定分析方法によれば、肌状態測定装置により測定された肌の状態の測定データがユーザ携帯端末によりネットワークを介してデータ管理サーバに送信されることになる。
この際に、ユーザは、例えば、顧客ＩＤを設定しておく必要があり、データ管理サーバからの要求にしたがって各種データの入力を行う。この際に例えばユーザデータである所定の個人情報として、氏名、住所、各種電話番号、メールアドレス等を入力するものとしてもよい。
【００３０】
また、肌状態測定分析情報管理システムにおいて商品やサービスの購入を可能にする場合に、所定の個人情報として決済用にクレジットカードの情報を含んでもよい。また、アンケート等としてデータ管理サーバからの要求に基づいて、使用している化粧品、スキンケア用品、サプリメント等の情報をユーザデータとして任意に入力させるものとしてもよい。
データ管理サーバでは、ユーザクライアントからユーザデータが入力された場合にユーザデータ用データベースに登録する。ユーザデータ用データベースでは、顧客ＩＤによりユーザデータが検索可能になる。
【００３１】
また、ユーザクライアントは、例えば、ユーザの操作に基づいて接続される肌状態測定装置により肌状態の測定を行い、測定データが得られた後に、この測定データを顧客ＩＤとともに、データ管理サーバに送る。
肌分析装置は、データ管理サーバに顧客ＩＤとともに測定データが入力されると、この測定データを取得し、データ分析用データベースで、入力された測定データまたはその近似する測定データに関連付けられた分析結果を取得する。なお、データ分析用データベースは、予め測定データと、それに対応する分析結果データを関連付けて記憶したものであり、例えば、それまでに蓄積されている測定データと、当該測定データの分析の結果とを関連付けたものである。
【００３２】
得られた分析結果データは、例えば、データ管理サーバを介するかメール等により、ユーザクライアントに送信され、ユーザクライアントで分析結果データを見ることができる。
また、測定データ、分析結果データおよびユーザデータから所定の個人情報を除いた付帯データが顧客ＩＤに関連付けられて測定データ用データベースに登録される。
【００３３】
ユーザデータから所定の個人情報を除く付帯データにおいて、所定の個人情報とは、基本的に個人が特定される可能性があるものであり、例えば、氏名、住所、電話番号、メールアドレス、クレジットカードの情報などである。ユーザデータから所定の個人情報を除いた付帯データは、例えば、使用している化粧品、スキンケア用剤（ボディオイル、入浴剤等）、スキンケア用機器（エステティック用機器）や、定期摂取しているサプリメントなどのアンケートに対する回答のデータや、個人情報を改変して個人を特定できないようにしたデータとして居住地域（大まかな住所として、例えば、県や市など）、大まかな年齢（例えば、１０代、２０代、３０代等）などや、測定に際して得ることのできるデータとして測定日時などである。
【００３４】
ここで、ユーザは、例えば、繰り返し肌状態の測定と分析を行うことが可能であり、例えば、測定データの測定日時、データ管理サーバでの受信日時などにより、時系列として測定データおよび分析結果データを測定データ用データベースから読み出せるようになっている。
【００３５】
例えば、肌状態の測定データの分析を無料とすることなどにより、多くのユーザに肌状態の測定データの分析サービスを利用してもらうことで、測定データ用データベースには、多くのユーザの測定データが蓄積されるとともに、各ユーザが繰り返し分析サービスを利用してもうらことで、時系列となった測定データを得られる可能性がある。
【００３６】
この場合に、例えば、各種化粧品や、スキンケア用品を開発しているメーカーでは、測定データ用サーバに蓄積された肌状態の測定データを商品開発や肌の研究等に利用することが可能になる。また、測定データ用サーバには、ユーザが入力したユーザデータのうちの所定の個人情報を除いた付帯データが顧客ＩＤを介して測定データに関連付けられるようになっている。ここで、ユーザデータの入力の際に、データ管理サーバ側から要求して、例えば、使用している化粧品、スキンケア用品等をユーザに入力してもらえれば、測定データだけの場合に比較してより有用なデータが得られる。
【００３７】
この発明では、契約により測定データの閲覧が可能になる。この際に、契約に基づいて各契約者の契約者ＩＤ毎に、閲覧可能な付帯データの種類が決められている。すなわち、契約時に契約者が閲覧した付帯データの種類を決めることになる。この際には、付帯データの複数の種類を閲覧可能にしても良いし、全ての種類の付帯データを閲覧可能としても良い。
【００３８】
この際に、付帯データの各種類に順位をつけ、契約時に決定される閲覧レベルが高くなるほど、順位の高い付帯データが閲覧可能になるようにしてもよい。
テータ分析管理サーバでは、契約者クライアントからデータ閲覧の要求が契約者ＩＤとともに入力された場合に、契約者用データベースを契約者ＩＤで検索して、この契約者IDに関連付けられた付帯データの種類に基づいて、その種類の付帯データと測定データとを契約者クライアントに送信して閲覧できるようにする。
【００３９】
例えば、契約者は、契約時に付帯データの各種類のうち必要な種類を選択してデータ管理サーバの運営者と契約する。この際には、例えば、各種類に対応する割増料金を支払う契約をする。これにより、契約者は有益な付帯データを得ることができる。
これにより、データ管理サーバの運営者（例えば、肌状態測定装置のメーカーや販売会社）は、契約者（例えば、化粧品のメーカーや販売会社等の化粧品会社や、スキンケア用品のメーカーや販売会社、エステ機器のメーカーや販売会社）との契約に際し、測定データおよび付帯データの閲覧に対する対価を得ることができる。
【００４０】
この対価により、ユーザに対して課金しなくとも、データ管理サーバの運営費用と利益を得られることになる。ユーザへの課金をなくすことにより、肌状態測定装置の販売を促すことができるとともに、肌状態測定装置の使用による測定データの分析を促すことができる。これにより、測定データ用データベースのデータを充実することができる。これにより、測定データおよびその付帯データを利用したい契約者の増加を図り、増収を図ることができる。
【００４１】
また、上述のように測定データや分析結果データの取得時期に応じた履歴として、測定データ用データベースに測定データや分析結果データが記憶され、それに付帯して付帯データが記憶されているので、ユーザは、測定データおよび分析結果データを時系列のデータとして見ることが可能になる。この場合に、各種スキンケアを行なっている場合に、肌の状態が良くなっているのか、変わらないのか、悪くなっているのかを判断することができ、現在のスキンケアを持続したり、変更したりする判断材料とすることができる。
【００４２】
また、ユーザは、ユーザデータ用データベースの内容を確認することができる。したがって、確認後に、例えば、ユーザデータ送信手段を用いて、ユーザデータの入力を行うことで、ユーザデータの変更も可能である。また、新たなアンケートに答えたり、前のアンケートの内容として、使用している化粧品やスキンケア用品の変更等を行うものとしてもよい。
【００４３】
なお、契約者クライアントに対してユーザデータ用データベースのデータを送信する手段はなく、契約者クライアントで閲覧可能なのは、測定データ用データベースの測定データと許可された種類の付帯データであり、ユーザデータ用データベースのデータが契約者クライアントに送信されることがなく、所定の個人情報が保護されることになる。なお、周知のセキュリテイ方法を用いて、ユーザデータ用データベースのデータは保護されていることが好ましい。
【００４４】
肌状態測定装置には、その装置認証記憶手段に認証用文字列が記憶されており、データ管理サーバでは、肌状態測定装置の認証用文字列がユーザ形態クライアントを介して送信された場合に、この認証用文字列を用いて肌状態測定装置を認証することができる。
例えば、データ管理サーバが肌状態測定装置のメーカーや販売会社により運営されている場合に、運営会社が製造または販売している肌状態測定装置以外の装置で、データ分析管理システムでのサービスである測定データに対する分析結果データの出力を利用できないようにすることができる。
【００４５】
上述のように測定データの分析サービスを無料とした場合に、この分析サービスを無断で利用して肌状態測定装置を販売しようとする者が現れる可能性があるが、上述のように認証用文字列で認証を行うことで、データ管理サーバでの測定データの分析を可能とする正規品としての肌状態測定装置以外は使用できない状態となる。
【００４６】
なお、認証用文字列は、例えば、一般的にシリアルと言われるものであり、所定の文字数の文字列であり、措定の文字数となる文字列のうちの予め所定の条件に適合する文字列だけが、認証用の文字列となり、ランダムに文字列を設定しても、認証される可能性が極めて低いものとなっている。
【００４７】
なお、分析結果データの出力禁止方法としては、分析結果データが出力されなければ、どのような方法ととってもよく、例えば、ユーザ形態クライアントからデータ管理サーバに認証用文字列の入力があった際に、認証されなかった場合に、そのユーザ形態クライアントとの通信を禁止するようにしてもよいし、測定データの受信をしないようにしてもよいし、測定データの受信はしても、分析結果データの取得を行わないようしてもよいし、測定データに対する分析結果データを取得しても取得した分析結果データを送信しないようにしてもよい。
【００４８】
また、測定データが、肌用カメラによる画像データの場合に、各肌状態測定装置は、個体差等により明るさや色合い等に違いがでる可能性がある。この場合に、画像データを分析した際の誤差が大きくなる可能性がある。この場合に、各認証用文字列に対応して個体差等を修正して標準化するための校正データを校正用データベースに記憶しておくことにより、ユーザ形態クライアントを介してデータ管理サーバに認証用文字列とともに画像データが入力した場合に、画像データを校正し、校正された画像データによりデータ分析用データベースから分析結果データを得ることができる。また、明るさの誤差の場合に、肌用カメラに設けられた照明の明るさを較正するものとしてもよい。
【００４９】
これにより、肌の微妙な色合いの違いを明確に分析することができる。なお、所定条件にしたがって撮像された画像データとは、例えば、肌用カメラに所定のカラーパターン（キャリブレーションパターン）を押し付けて撮影することなどにより、カラー校正を可能とするものである。
【００５０】
ユーザクライアントには、肌状態測定装置の外にスキンケア装置（肌エステティック装置（肌エステ装置））が接続可能であり、ユーザクライアントから接続されたスキンケア装置の設定変更等を含む制御が可能になっている。例えば、作動開始から設定時間後に作動終了したり、強度等の各種レベルが設定できる場合に、レベルを設定したり、変更したりする制御が可能になっていることが好ましい。
【００５１】
ここで、上述のデータ管理サーバの測定データ用データベースに登録された顧客ＩＤに関連付けられた分析結果データを取得し、スキンケア用データベースから前記分析結果データに関連付けられた制御方法を取得する。この制御方法がユーザクライアントに送信され、ユーザクライアントに接続されたスキンケア装置の作業時間や、各種設定レベルなどの制御が可能になる。分析結果データとして、肌の状態が例えば段階的にレベル（悪い状態から良い状態）で示されるような場合に、レベルが高い場合（肌の状態が良い場合）には、作動時間が短くされ、レベルが低い場合に（肌の状態が悪い場合）に作動時間が長くされるなどの制御が行われる。
【００５２】
このようにスキンケア装置が制御されることで、肌の状態に対応したスキンケアが可能になる。また、スキンケアに使われる時間の効率化や、電池等の電源の使用の効率化を図ることができる。
また、ユーザクライアントの操作により、ユーザが任意にスキンケア装置を制御するものとしてもよい。例えば、スキンケア装置の出力レベル（振動数、電圧、電流）をユーザが設定するものとしてもよい。この場合に、ユーザクライアントには、ユーザが設定した制御データが所定の記憶領域に記憶される。それに対して、データ管理サーバ側で、記憶領域に記憶されている制御データを書き換えることにより、より効率的な設定とすることができる。例えば、スキンケア装置で、出力を大きくすると痛みなどを感じることから適切な出力より小さな出力で使っているような人に対して、データ管理サーバがうユーザクライアントに記憶された制御データを書き換えて、徐々に出力を上げるうようにすることにより、痛みの発生を抑制しつつ、適切な出力でスキンケア装置を使用することができる。
【００５３】
データ管理サーバでは、使用履歴データが測定データ用データベースに顧客ＩＤに関連付けて登録される。
したがって、顧客ＩＤに基づいて、使用履歴データと測定データと分析結果データを見ることが可能になり、スキンケア装置による肌の状態の改善効果の確認を行うことができる。
【図面の簡単な説明】
【００５４】
【図１】本発明の実施の形態の肌状態測定分析情報管理システムを示す概略ブロック図である。
【図２】肌状態測定分析情報管理システムのアプリを起動したスマートフォンの表示画面を示すものである。
【図３】スマートフォンのアプリの機能を説明するための図である。
【図４】スマートフォンのアプリの診断エステのメニュー画面を示す図である。
【図５】スマートフォンのアプリの診断エステの登録センサ表示を示す図である。
【図６】スマートフォンのアプリのケアエステの登録機器表示を示す図である。
【図７】スマートフォンに接続できる各種機器を示す図である
【図８】スマートフォンに登録されたエステ器具を説明するための図である。
【図９】前記肌状態測定分析情報管理システムを示すブロック図である。
【図１０】本発明の実施の形態の肌状態測定分析情報管理方法のユーザ登録処理を示すフローチャートである。
【図１１】前記肌状態測定分析情報管理方法のセンサ登録処理を示すフローチャートである。
【図１２】前記肌状態測定分析情報管理方法の肌診断処理を示すフローチャートである。
【図１３】前記肌状態測定分析情報管理方法の詳細肌診断結果表示処理を示すフローチャートである。
【図１４】前記肌状態測定分析情報管理方法のケアエステ処理を示すフローチャートである。
【図１５】前記肌状態測定分析情報管理方法の肌改善状況判定処理を示すフローチャートである。
【図１６】前記肌状態測定分析情報管理方法の肌履歴表示処理を示すフローチャートである。
【図１７】前記肌状態測定分析情報管理方法の肌履歴表示処理を示すフローチャートである。
【図１８】前記肌状態測定分析情報管理方法のデータの二次利用処理を示すフローチャートである。
【図１９】前記肌状態測定分析情報管理方法のデータの二次利用処理の変形例を示すフローチャートである。
【図２０】本発明の実施形態に係るスキンケア装置を説明するための図である。
【図２１】本発明の別実施形態に係るスキンケア装置を説明するための図である。
【図２２】本発明の実施形態に係るスキンケア装置とスマートフォンとの関係を説明するための図である。
【発明を実施するための形態】
【００５５】
以下、図面を参照しながら本発明の実施の形態について説明する。
この実施の形態の肌状態測定分析情報管理システムおよび肌状態測定分析情報管理方法は、肌状態測定分析情報管理システムの会員である肌状態測定装置のユーザに、肌状態測定装置の測定データから自分の肌状態の分析結果を得られるサービスを低コスト（例えば無料）で提供することにより、ユーザに自分の肌の状態を認識してもらうものである。
【００５６】
この際に、低コストに肌の状態が分かるようにすることで、肌状態測定装置の販売数を増加させるとともに、ユーザに頻繁に肌状態の測定を行うことを促し、その測定データから分析結果を取得してもうらことで、多くのユーザから頻繁に測定データを収集するものである。この場合に、化粧品を含むスキンケア用品やスキンケア装置２を使ってもらい、肌の状態が改善するのをユーザに把握してもらうことで、スキンケア用品やスキンケア装置２の販売を促進する。
【００５７】
また、多くの肌状態の測定データを収集した場合には、収集したデータを化粧品のメーカーや販売会社（化粧品会社）に有料で各種スキンケア用品の開発に利用してもらうことが可能になる。この際に測定データだけではなく、ユーザの使用しているスキンケア用品やスキンケア装置２、さらに、ユーザの大まかな年齢や居住地域や年収や職業などの付帯データをつけることで、測定データに付加価値をつけて、より有効に測定データを利用してもらうことができる。これにより、肌状態測定装置等を購入してくれるユーザだけではなく、上述の測定データを利用してくれる化粧品会社等のデータの二次利用者から利益を得られるようにすることができる。
【００５８】
図１に示すように、この実施の形態の肌状態測定分析情報管理システムは、肌状態測定装置１とスキンケア装置（ケアエステ装置）２が接続可能なユーザクライアントとしてのスマートフォン３と、スマートフォン３とインターネット４（ネットワーク）を介して接続可能なデータ管理サーバ５と、契約者クライアント６としての化粧品会社等の提携会社のコンピュータシステムとを備えるものである。
【００５９】
肌状態測定装置１は、例えば、肌用カメラであり、撮像素子と照明用ＬＥＤとを備えるセンサ部１１と、制御部１２と、ＵＳＢ（ユニバーサル・シリアル・バス）インターフェース１３とを備える。
照明用ＬＥＤは、例えば、２色の光を出射可能になっており、肌色光と、白色光を切り替えて照射可能になっている。肌色光を照射すると肌の状態が明瞭に撮影可能になり、肌のキメ（肌理）の状態を分析可能になる。一般的に肌のキメの状態がよい場合には、肌の表面に略三角形の網目状の溝が比較的理路整然として見える。それに対してキメの状態が悪いと溝が不明確になったり、網目の形状が崩れたり、溝がよく見えなくなったり、溝のない部分が荒れた状態になる。
【００６０】
また、上述の溝は皮溝といい、この皮溝で囲まれる略三角形上の平らな部分を皮丘という。また、これら皮溝および皮丘以外に毛穴が見えることになるが、キメの状態が良い場合いは毛穴が小さく目立たないのに対して状態が悪いと毛穴が大きく目立つ状態になる。
肌色光で肌を拡大撮影すると、このキメの状態が明確な画像になり、画像データの分析がし易い状態になる。
【００６１】
また、白色光で照明した場合に、シミが認識し易い画像データを得ることができる。
すなわち。白く映る皮膚に対してシミが黒っぽく（灰色に）映り、シミを比較的容易に認識することができる。この肌用カメラとしての肌状態測定装置１では、キメモードとシミモードを切り替えて撮影が可能になっており、モードを切り替える切換スイッチが設けられている。肌用カメラによる測定データとしての撮像データに関連して、キメモードかシミモードを示すデータをスマートフォン３に出力するようになっている。
【００６２】
なお、照明として、上述の白色光や肌色光に加えて近紫外である例えば３７５ｍｍ程度の波長の光を照射し、皮膚中のポルフィリンを検出するものとしてもよい。なお、紫外光を照射した時に、これにより励起されたポルフィリンが発する赤橙色の蛍光により、ポルフィリンを検出することができる。なお、ポルフィリン症の患者の皮膚にポルフィリンが存在する場合がある。
【００６３】
なお、肌カメラの撮影部分は、箱状のフードを備え、その奥に透明板（光学的機能を有していてもよい）が設けられ、透明板の後側（内側）にレンズ、撮像素子、照明用ＬＥＤ等が設けられている。フードの先端を肌に押しつけて周囲の光を遮光した状態で撮影が可能になっている。
【００６４】
ＵＳＢインターフェース１３は、例えば、ユーザクライアントとしての上述のスマートフォン３（プログラムに基づいて演算処理可能なプロセッサ（ＣＰＵ）を備えたインテリジェント機器）との接続を行うためのものであり、スマートフォン３側にもＵＳＢインターフェースが設けられている。肌状態測定装置１のＵＳＢインターフェース１３がクライアント側となり、ユーザクライアントとしてのスマートフォン３のＵＳＢインターフェースがホスト側になる。
【００６５】
肌状態測定装置１は、ＵＳＢインターフェース１３により測定データとしての画像データを出力可能になるとともに、例えば、照明用ＬＥＤの明るさの調整をスマートフォン側から制御可能になっている。
【００６６】
また、ＵＳＢインターフェース１３には、エンドポイントと呼ばれるデータ記憶のバッファが備えられ、このエンドポイントに記憶されたデータがスマートフォン３側から読み取られるようになっている。
【００６７】
さらに、ＵＳＢインタエースには、ディスクリプタと呼ばれるデータが書き込まれており、スマートフォン３側から読み取られるようになっている。例えば、肌状態測定装置１が上述の肌用カメラのように画像データを出力するもの場合に、例えば、カメラ（映像を出力する装置）であることがディスクリプタに記載され、スマートフォン３側では、予め記憶されているカメラ用ドライバ、または、後述の専用アプリ５ｊの一部としてインストールされたドライバがセットされる。
【００６８】
なお、ディスクリプタには、上述のカメラ等のデバイスに関するものとして、ＵＳＢ・Ｒｅｖｉｓｉｏｎや、デバイスクラスや、ベンダＩＤ等が登録されたデバイス・ディスクリプタ、電源種類や、最大消費電力等が登録されたコンフィグレーション・ディスクリプタ、クラスコードや、上述のエンドポイント数等が登録されたインターフェース・ディスクリプタや、エンドポイントからのデータの転送方向や、転送方式や、最大バケットサイズ等が登録されたエンドポイント・ディスクリプタ等がある。
【００６９】
また、ディスクリプタには、文字列を記憶するストリング・ディスクリプタがあり、この実施形態では、この文字列用のディスクリプタに認証用文字列としていわゆる製品シリアルＮｏ．が記憶されている。この製品シリアルＮｏ．により、肌状態測定装置１が特定の装置として、例えば、所定のメーカーで製造された装置であることを認証できるようになっている。
すなわち、肌状態測定装置１は、認証用文字列を記憶するとともにユーザクライアントであるスマートフォン３に出力する装置認証送信手段としての機能を有する
【００７０】
すなわち、同様の機能を有する肌状態測定装置１であっても、例えば、データ管理サーバ５の運営会社で認められた肌状態測定装置１だけを前記製品シリアルＮｏ．で認識して、この肌状態測定分析情報管理システムで利用できるようにしている。すなわち、肌状態測定装置１から製品シリアルＮｏ．が読み取れない場合や、所定の文字配列となった製品シリアルＮｏ．ではなく、認証できない製品シリアルＮｏ．の場合に、肌状態測定分析情報管理システムでの使用が禁止されるようになっている。
【００７１】
なお、肌状態測定装置１としては、上述の肌用カメラ以外に例えば経表皮水分蒸散量を測定する周知の蒸散計であってもよいし、肌のメラニン量を計測するメラニン計であってもよい。
また、直接肌の状態を測定する装置ではないが、環境測定センサとして紫外線（ＵＶ）を測定する装置（ＵＶチェッカ）をスマートフォン３に接続可能にしてもよい。なお、肌に対する紫外線の影響を見る上では、ＵＶチェッカは、メラニン生成にかかわるＵＶ−Ａと、炎症を引き起こすＵＶ−Ｂを別々に独立した数値データとして、それぞれ連続的に出力可能になっていることが好ましい。
【００７２】
このような肌状態測定装置１は、上述の製品シリアルＮｏ．と測定データをＵＳＢインターフェース１３を介してスマートフォン３に出力することが可能になっている。
また、製品シリアルＮｏ．が認証されると、スマートフォン３を介して出力される測定データに対する分析結果データが得られるようになっている。
【００７３】
また、肌状態測定装置１としての肌用カメラにおいて、例えば、所定の条件下で撮影を行い、その際に得られた画像データと製品シリアルＮｏをスマートフォン３を介してデータ管理サーバ５に送ると、明るさや色合いの校正が行えるようになっている。なお、所定の条件下での撮像とは、例えば、白黒パターンやカラーパターンに肌用カメラのフードを押し付けた状態での撮影である。
【００７４】
校正により得られた校正データで画像データを修正してもよいし、例えば、肌用カメラ側で校正データに基づく調光データや調色データにより照明用ＬＥＤの調整を行うものとしてもよい。なお、スマートフォン３にＵＳＢインターフェース１３を介して肌状態測定装置１を接続するものとしたが、ブルートゥース（登録商標、以下同じ）を用いて、スマートフォン３に肌状態測定装置１を接続するものとしてもよい。
【００７５】
スキンケア装置２には、例えば、プラスイオンで皮膚の汚れを落とすイオンクレンジング装置、肌に微弱な直流電流を流して皮膚の奥深くまでイオン化した成分を浸透させるイオン導入装置、ＬＥＤの光を当てることで皮膚の細胞の活性化と温熱効果を与えるＬＥＤ光エステ装置、ゲルマニウム等が取り付けられたローラで肌に刺激を与え、マッサージ効果を有するローラエステ装置、肌を冷却して毛穴を引き締めるクールエステ装置、超音波によりマッサージ効果と温熱効果を与える超音波エステ装置とが用意されている。
【００７６】
また、スキンケア装置２は、実際に肌に作用する作動部２１を備えるとともに、肌状態測定装置１と同様に、制御部１２、ＵＳＢインターフェース１３を備える。また、スマートフォン３にＵＳＢインターフェース１３を介してスキンケア装置２を接続することで、スマートフォン３により、スキンケア装置２の作動時間や出力のレベル等を制御可能になり、ユーザがスキンケア装置２を作動させてからスマートフォン３側で設定された時間になると、作動停止するようにすることができる。また、出力レベルが複数段階あるスキンケア装置２では、スマートフォン３側から出力レベルを設定可能になっている。
例えば、後述のデータ管理サーバ５には、上述の分析結果データと、スキンケア装置２の作動時間や出力レベルといった制御方法とが関連付けられたスキンケア用データベース５ｌが設けられており、例えば、上述の測定データ用データベース５２から分析結果データを取得して、当該分析結果データに対応する制御方法をスキンケア用データベース５ｌから取得して、スキンケア装置２を制御できる。すなわち、測定データの分析結果に基づいてスキンケア装置２を効率的に作動させることができる。
【００７７】
なお、スキンケア装置２においても、肌状態測定装置１と同様に認証用文字列としての製品シリアルＮｏ．が出力可能に記憶されている。
前記ユーザクライアントは、基本的にスマートフォン３であるが、例えば、ノートパソコンや、タブレット型（パッド型）パソコンの等のプログラムに基づいて処理を行う汎用演算処理装置（例えばＣＰＵ）を備えた装置である。ユーザクライアントとしては、無線電話回線やその他の無線通信回線により、ネットワークとしてのインターネット４に接続可能で携帯可能な機器が好ましい。
【００７８】
ユーザクライアントとしてのスマートフォン３は、例えば、無線通信として携帯用の無線電話回線を使用できるとともに、無線ＬＡＮ（ＷｉＦｉ）を使用できるようになっており、これらの無線通信を用いてネットワークとしてのインターネット４に接続可能になっており、無線携帯端末（無線携帯クラインあと）となっている。
【００７９】
また、スマートフォン３では、例えば、ダウンロードしてインストールしたアプリケーション（以下、専用アプリ５ｊと略す）を実行可能になっており、この実施形態では、専用アプリ５ｊとして肌状態測定用アプリをデータ管理サーバ５からスマートフォン３にダウンロードするようになっている。
【００８０】
スマートフォン３で実行される専用アプリ５ｊの機能は、図２、図３に示すように、４つの機能を有する。すなわち、診断エステ、ケアエステ、生活エステ、メイクエステの４つの機能である。診断エステは、ＵＳＢインターフェース１３を介してスマートフォン３に接続される各種の測定装置（センサ）を用いて図３に示す各種の測定が可能になっている。各測定装置は、専用アプリ５ｊが入力されたスマートフォン３のＵＳＢ端子に接続することで利用可能になる。また、各種類の測定装置を付け替えることにより、それぞれの異なるセンサによる測定が可能であり、主に肌の状態を測定することができる。
また、各種測定装置の測定結果をデータ管理サーバ５に送信して記憶しておくことができるとともに、測定結果から肌の状態を分析してもらうようなことも可能となっている。
【００８１】
ケアエステは、各種スキンケア装置をスマートフォン３に接続して使用できるようになっている。この場合も上述の診断エステと同様に、各種スキンケア装置をＵＳＢ端子に取り付けることで使用可能である。また、スマートフォン３と接続することで、使用履歴を残すことができ、スマートフォン３をデータ管理サーバ５とデータ通信可能な状態とすることにより、各種スキンケア装置の制御も可能になる。
【００８２】
生活エステは、診断エステが主に肌を対象にしていたのに対して、普段の生活を対象にしており、紫外線量をチェックしたり、口臭をチェックしたりする機器をスマートフォン３のＵＳＢ端子に接続できるようになっている。メイクエステは、主に、メイク等に関する情報提供を行うものである。
【００８３】
図２等はスマートフォン３の表示手段としての表示画面３ａを示すものであり、図４はメインメニューを示し、図５は登録センサ表示を示すものである。なお、後述のように、登録センサ表示では、予め登録可能な機器のマークが表示されるようになっているが、登録されたことがない機器のマークは登録されたことのある機器のマークより暗く表示されるようになっている。
複数の測定装置やスキンケア装置を接続できることから、システマティックな構成となっていることにより、上述のようなマークの表示により、スマートフォン３に接続できる機器を集めたいという意欲を生じさせるものとなっている。
また、ケアエステにおいても、図６、図７に示すように、複数のスキンケア装置を接続可能になっている。図８に示すように、ケアエスの登録画面において、登録されたことがある機器のマークが明るく光、登録されたことがない機器は、暗く表示されるようになっている。
【００８４】
スマートフォン３の演算処理装置で実行される肌状態測定用の専用アプリ５ｊは、上述のように肌状態測定装置１としての肌用カメラを接続した場合に、肌用カメラで撮像された画像データをＵＳＢインターフェース１３を介して入力し、インターネット４上のデータ管理サーバ５に出力する測定データ送信手段としての機能を備える。また、データ管理サーバ５から送信される例えば測定データを分析した結果になる分析結果データを受信してスマートフォン３のディスプレイに表示する分析結果表示手段としての機能を有する。
【００８５】
また、上述の専用アプリ５ｊは、データ管理サーバ５の運営者が管理する肌状態測定分析情報管理システムを利用する会員（ユーザ）となるためのユーザデータ（個人情報）の入力である会員登録や、ユーザデータのうちの個人を特定可能な所定の個人情報を含まない付帯データの入力であるアンケートへの応答を行うユーザデータ送信手段としての機能を有する。
【００８６】
また、上述の専用アプリ５ｊは、後述のようにデータ管理サーバ５に記憶されている上述の各ユーザデータ、測定データ、測定データに対する分析結果データを閲覧できるように要求するデータ閲覧要求手段としての機能を有する。
また、専用アプリ５ｊは、要求したデータがデータ管理サーバ５から受信した場合に、これらデータをディスプレイに表示するデータ表示手段としの機能を有する。
【００８７】
また、専用アプリ５ｊは、肌状態測定装置１から入力される認証用文字列をデータ管理サーバ５に送信する装置認証送信手段としての機能を有する。
また、スマートフォン３に、スキンケア装置２用の専用アプリ（ケア用アプリ）５ｊをデータ管理サーバ５からダウンロードしてインストール可能になっている。
また、スキンケア装置２の制御方法を取得する制御方法取得手段としてのスマートフォン３の専用アプリ５ｊとしてのケア用アプリは、データ管理サーバ５から制御方法を取得して、スキンケア装置２を上述のように制御する機能を有する。
【００８８】
また、スマートフォン３のケア用アプリは、データ管理サーバ５からスキンケア装置２の使用スケジュールを取得するスケジュール取得手段として機能し、この使用スケジュールを例えばディスプレイに表示して報知するスケジュール報知手段として機能する。
また、スマートフォン３のケア用アプリは、スキンケア装置２から作動開始を示す信号と、作動終了を示す信号とが入力した場合に、使用日時と使用時間とのデータを有する使用履歴データを生成し、この使用履歴データをデータ管理サーバ５に送信する使用履歴生成手段として機能する。
【００８９】
データ管理サーバ５は、図１に示すように、基本的に上述のユーザデータを記憶するためのユーザデータ用データベース５１と、肌状態測定装置１による測定データを記憶するための測定データ用データベース５２と、測定データから分析結果を取得するためのデータ分析用データベース５３と契約者用データベース５４とを備える。
【００９０】
データ管理サーバ５は、より詳細には図９に示すように、ユーザデータ用データベース５１が複数に分けられており、ユーザデータ用データベース５１として、顧客（ユーザ）個人情報管理データベース５ａ、使用化粧品履歴データベース５ｄを備える。また、データ管理サーバ５は、測定データ用データベース５２として、肌履歴データベース５ｂ、詳細診断結果データベース５ｅを備える。
【００９１】
また、データ管理サーバ５は、データ分析用データベース５３として肌基準値データベース５ｇを備える。また、また、データ管理サーバ５は、契約者用データベース５４として、データ二次利用者アクセス権管理データベース５ｈを備える。
【００９２】
また、データ管理サーバ５は、複数のスマートフォン３で、一つの肌状態測定装置１やスキンケア装置２を使いまわして利用できるように、同じ製品シリアルＮｏ．の装置を管理する機器情報データベース５ｉを備える。
また、データ管理サーバ５は、スキンケア装置２の使用履歴を顧客ＩＤと、スキンケア装置２の種類とに関連づけて記憶するスキンケア用データベースとしてのケアエステデータベース５ｃを備える
【００９３】
顧客個人情報管理データベース５ａは、表１に示すように、スマートフォン３を用いてユーザが入力したデータとして、顧客ＩＤ、個人ユーザＩＤ、個人パスワード、氏名、生年月日、年齢、性別、住所１（国）、住所２（都道府県）、住所３（市町村（区））、住所４（番地（マンション名部屋番号））、メールアドレス、課金情報（クレジットカード情報等）が記憶される。なお、顧客ＩＤは、個人のユーザＩＤに対応して、データ管理サーバ５側で付されるＩＤであり、個人ユーザＩＤは、ユーザが他のユーザの個人ユーザＩＤと重ならないことを条件に設定するＩＤである。また、個人パスワードは、個人ユーザＩＤと合わせてユーザの認証に用いられる。なお、各ユーザに１対１で対応するＩＤとして、顧客ＩＤと個人ユーザＩＤとの二つを使用しているが、これらを一つのＩＤで兼用するものとしてもよいし、ユーザＩＤとして、顧客ＩＤだけを用いるものとしてもよいし、ユーザＩＤとして個人ユーザＩＤを用いるものとしてもよい。
【００９４】
【表１】
2014014516.tif 000003
【００９５】
また、各データベースでユーザに関連するデータが記憶されている場合には、すべて顧客ＩＤで管理されており、各ユーザに関連するデータがそれぞれ記憶されている各データベースを顧客ＩＤで検索することで、各ユーザに関連するデータを全て検索して取得できるようになっている。
したがって、顧客個人情報データベース５ａにおいても、各顧客ＩＤ毎に関連付けて各ユーザのデータが登録されている。
【００９６】
また、顧客個人情報データベース５ａには、表１に示すように、さらに、スマートフォン３に接続された肌状態測定装置１やスキンケア装置２から入力される製品シリアルＮｏ．が記憶されるようになっている。なお、製品シリアルＮｏ．は、後述のようにデータ管理サーバ５で認証された後に記憶されるようになっており、製品シリアルＮｏ．が顧客個人情報データベース５ａに登録されている場合には、製品シリアルＮｏ．の認証を行わない。
【００９７】
また、肌履歴データベース５ｂには、表２に示すように、顧客ＩＤとデータ入力日時に関連づけて、各肌状態測定装置１から入力される測定データが登録される。また、この測定データに関連付けられて各簡易診断（分析）結果のデータが登録される。なお、例えば、３０分以内等の所定の時間範囲内で、複数種の肌状態測定装置１から測定データが入力された場合には、総合簡易診断が行われ、この総合簡易診断の結果のデータが登録される。さらに、測定データに対して詳細診断が行われた場合には、詳細診断の結果が通知された後に、詳細診断結果データベースに顧客ＩＤと測定日時に関連付けて詳細診断の結果のデータが登録され、肌履歴データベースには、詳細診断結果データベースへの当該書込データの格納アドレスが登録される。
【００９８】
【表２】
2014014516.tif 000004
【００９９】
なお、簡易診断は、例えば、測定データと診断結果データとしての肌状態のランクをあらかじめ対応づけてユーザ分析用サーバ５３としての肌基準値データベース５ｇに登録しておき、肌基準値データベース５ｇに測定結果としての測定データに対して、肌基準値データベース５ｇの測定データから近似する測定データを選択し、当該測定データに関連付けられたランクを簡易診断結果として出力するようになっている。この処理は、データ管理サーバ５の簡易診断プログラム５ｆにより行われる。また、肌用カメラのように、測定データが画像データの場合には、周知の画像認識により肌基準値データベース５ｇに登録された測定データとしての画像データの中から、肌用カメラで撮像された画像データに近似する画像データを選択するようになっている。
【０１００】
また、詳細診断は、測定データを例えば提携企業としての化粧品会社サーバ（化粧品会社Ａサーバ６１、化粧品会社Ｂサーバ６１）で行われるものである。基本的には、簡易診断と同様に、測定データと分析結果データを関連付けた詳細診断システム６２に含まれるデータベースから、肌状態測定装置１で得られた測定データに近似する測定データを選択し、当該測定データに関連付けられた分析結果データを出力するものである。ただし、詳細診断では、例えば、登録されている測定データ数および分析結果データが簡易診断の場合より多く、詳細診断用のデータベースにさらに細かく分類された状態となっており、簡易診断より詳細な分析結果を得られるようになっている。また、詳細診断用に各化粧品会社独自のアルゴリズムで、データベースに登録された測定データを選択して、それに対応する分析結果を得られるようになっていてもよい。
【０１０１】
使用化粧品履歴データベース５ｄには、表３に示すように、顧客ＩＤに関連付けてスキンケア用品（化粧品）の履歴データがスキンケア用品の使用履歴のデータが各種類毎に入力される。なお、この使用履歴のデータは、例えば、上述の肌状態測定装置１による測定時にアンケートとしてユーザ分析管理サーバから入力要求のある項目に、ユーザが入力するものである。なお、入力は任意であり、ユーザが入力を行わないものとしてもよい。また、各スキンケア用品の入力に際し、メーカー名や商品名を入力するものとしてもよい。この場合は、スマートフォン３からの入力時にプルダウンメニュー等でメーカーおよび商品名が表示され、その中から選択するものであってもよい。
【０１０２】
【表３】
2014014516.tif 000005
【０１０３】
ケアエステデータベースには、表４に示すように、顧客ＩＤに関連づけて、各スキンケア装置２の使用履歴として、スキンケア装置２の種類を示すケアエステ種類コード（種別）と、スキンケア装置２の作動開始日時を示すケアエステ開始日時と、その後のスキンケア装置２の作動終了日時を示すケアエステ終了日時を登録するようになっている。
【０１０４】
【表４】
2014014516.tif 000006
【０１０５】
詳細診断結果データベース５ｅは、表５に示すように、上述の詳細診断の結果を顧客ＩＤに関連づけて登録するものであり、詳細診断が行われた日である診断日時（詳細診断を頼んだ測定データの測定日時を含んでもよい）と詳細診断結果のデータが登録される。また、詳細診断の結果に対応して選択されるアドバイスのデータや、推奨化粧品（スキンケア用品）のデータが登録されている。なお、アドバイスデータや推奨化粧品データは、化粧品会社Ａサーバ、化粧品会社Ｂデータベースにおけるアドバイス決定部、推奨化粧品決定部で決定されるが、基本的に各アドバイスおよび推奨化粧品が各詳細診断結果に関連づけて登録されており、詳細診断結果が決まることで、アドバイスと推奨化粧品が決定される。
アドバイスは、例えば、生活習慣等で避けた方がよいことや、肌のマッサージ方法などである。また、推奨化粧品は、詳細診断結果からわかる肌の状態に適した化粧品やスキンケア商品である。
【０１０６】
【表５】
2014014516.tif 000007
【０１０７】
肌基準値データベース５ｇは、表６に示すように、簡易肌診断に用いられるもので、測定データに対応して肌のキメ、肌のシミ、画像データからの肌色解析、画像データからの皮脂解析、蒸散計のデータからのうるおい解析等として、それぞれ、例えば、悪い状態から良好な状態まで、肌の状態が１０段階のランクに分けらており、それぞれが上述のように測定データに関連付けられている。
したがって、肌状態測定装置１で測定した測定データで肌基準データベースを検索することで、肌の状態を示すランクを得ることができる。このランクが簡易診断の結果になる。
【０１０８】
【表６】
2014014516.tif 000008
【０１０９】
機器情報データベース５ｉは、表７に示すように、各肌状態測定装置１の製品シリアルＮｏ．と、各スキンケア装置２の製品シリアルＮｏ．が登録されている。この機器情報データベース５ｉに格納されている製品シリアルＮｏ．により、認証を行うものとしてもよい。
また、表８に示すように、機器情報データベースにおいては、上述の各肌状態測定装置１およびスキンケア装置２の製品シリアルＮｏ．と、顧客ＩＤとを対応づけたものである。上述のようにシリアルＮｏ，の認証が行われて、各肌状態測定装置１、スキンケア装置２が認証された場合に、各装置が接続されたスマートフォン３に対応する顧客ＩＤに関連付けて認証されたシリアルＮｏが登録される。この場合に、例えば、一つの肌状態測定装置１またはスキンケア装置２を３人まで、すなわち、３台のスマートフォン３まで共有して使用可能となっている。しがたって、機器情報データベースにおいて、一つの製品シリアルＮｏ．に対して４つめとなる顧客ＩＤが登録されると、その顧客ＩＤのスマートフォン３を介して上述の製品シリアルＮｏ．の肌状態測定装置１またはスキンケア装置２の使用が禁止される。例えば、スマートフォン３の上述の専用アプリ５ｊでエラーとなって、肌状態測定装置１またはスキンケア装置２が使用できない状態になる。
【０１１０】
【表７】
2014014516.tif 000009
【０１１１】
【表８】
2014014516.tif 000010
【０１１２】
データ二次利用者アクセス権管理データベース５ｈは、表９に示すように、利用者（契約者、例えば、化粧品会社等のスキンケア用日の開発を行っている会社）顧客ＩＤ、利用者ユーザＩＤおよび利用者パスワードが設定されており、これによりデータ二次利用者の認証が可能になる。
【０１１３】
また、データ二次利用者アクセス権管理データベース５ｈには、利用者ＩＤに関連付けて利用者検索レベルおよび利用者アクセスレベルのデータと、課金情報が登録されている。なお、課金情報は、データ二次利用者がデータの検索や、アクセス可能なデータの取得を行った場合の課金のデータであり、課金情報に基づいてデータの利用料金が利用者に請求される。
また、利用料金は、検索レベルおよびアクセルレベルによって異なるものとなっており、検索可能なキーワードが多いほど利用料金が高くなり、アクセルレベルが高いほど利用料金が高くなる。
【０１１４】
【表９】
2014014516.tif 000011
【０１１５】
表１０に具体的な検索レベルの違いによる検索キーワードの違いを示し、表１１にアクセルレベルの違いによりアクセス可能なデータの違いを示す。
【０１１６】
【表１０】
2014014516.tif 000012
【０１１７】
【表１１】
2014014516.tif 000013
【０１１８】
なお、年齢、性別、住所１、住所２、住所３は、上述の顧客個人情報管理データベース５ａに登録されているデータであるが、データ二次利用者がアクセスできるデータベースは、客個人情報管理データベースを除く、肌履歴データベース５ｂ、および使用化粧品履歴データベース５ｄ等である。
【０１１９】
すなわち、所定の個人情報として、個人ユーザＩＤ、個人パスワード、氏名、生年月日、住所４を含む住所全体、メールアドレス、課金情報、シリアルＮｏ，のデータをデータ二次利用者が見ることができないようになっており、各個人情報管理データベース５ａには、利用者がアクセスできないようになっている。
したがって、年齢、性別、住所１、住所２、住所３の情報は、顧客ＩＤに関連付けて肌履歴データベース５ｂや、独立したデータベースに登録されたデータを利用者が見ることになる。
【０１２０】
また、さらにこの肌状態測定分析情報管理システムには、校正用データベース５ｍを備える。校正用データベース５ｍは、例えば、表１２に示すように、肌用カメラで、所定条件での撮像として、白黒パターンを撮像した場合の画像データと、明るさのランクが関連づけられ、カラーパターンを撮像した場合の画像データと色合いのランクとが関連付けて登録されている。表１１に示すように、明るさランクとして例えば０から１０のランクが登録され、色合いのランクとして各青、緑、赤毎のランクが０から１０まで登録されている。
【０１２１】
各ランクに対応して登録された画像データと測定された画像データを比較して、校正データを得ることになるが、例えば、ランク５が標準になり、それよりランクが低いと暗いまたは対応する色が薄い状態であり、それよりランクが高いと明るいまたは対応する色が濃い状態になる。この校正データを用いて照明ＬＥＤの調光や調色を行ったり、画像データの補正を行ったりすることで、各肌用カメラの個体差等による影響を抑制するようになっている。
【０１２２】
【表１２】
2014014516.tif 000014
【０１２３】
分析結果データとしてのランクに関連付けて前記スキンケア装置２の制御方法が登録されているスキンケア用データベース５ｎは、例えば、表１３に示すように、上述の肌基準値データベースを用いた簡易診断におけるランクと、スキンケア装置２における制御方法とを関連付けたものである。
【０１２４】
例えば、肌状態測定装置１を肌用カメラのキメモードとし、スキンケア装置２をイオンクレンジング装置とした場合で、かつ、イオンクレンジング装置における出力レベルを例えば３段階に代えられるものとした場合を想定したスキンケア用データベース５ｌにおいては、肌のキメのランクが、ランク１〜ランク３の場合に、出力レベルを最も高い３とし、作動時間を１５分とする。また、キメのランクが４〜７の場合に出力レベルを真ん中の２とし、作動時間１０分とする。また、キメのランクが８〜１０の場合に、出力レベルを最も低い１とし、作動時間を５分とする。
これにより肌の状態に対応して効率的にスキンケア装置２を使用することができる。
【０１２５】
【表１３】
2014014516.tif 000015
【０１２６】
分析結果データとしてのランクに関連付けてスキンケア装置２の使用スケジュールデータが登録されているスケジュール用データベース５ｎは、例えば、表１４に示すように、上述の肌基準値データベースを用いた簡易診断におけるランクと、スキンケア装置２における使用スケジュールとを関連付けたものである。
【０１２７】
例えば、測定手段を肌用カメラのキメモードとし、スキンケア装置２をイオンクレンジング装置とした場合に、スケジュール用データベースにおいては、肌のキメのランクが、ランク１〜ランク３の場合に、毎日イオンクレンジングを行うものとし。また、キメのランクが４〜７の場合に週に３回イオンクレンジングを行うものとし、キメのランクが８〜１０の場合に、イオンクレンジングを週１回行うものとする。
これにより肌の状態に対応して効率的にスキンケア装置２を使用することができる。
なお、スケジュール用データベースによるスケジュールから、例えば、具体的にイオンクレンジングを行う曜日や時刻をユーザが設定して、スケジュールをより具体的なものとしてもよい。
【０１２８】
【表１４】
2014014516.tif 000016
【０１２９】
次に、図１０から図１９のフローチャートを参照して、この実施の形態の肌状態測定分析情報管理システムにおける肌状態測定分析情報管理方法について説明する。
この実施の形態の方法では、まず、肌状態測定分析情報管理用の専用アプリ５ｊをダウンロードしてインストールする。
【０１３０】
図１０のフローチャートを参照して、専用アプリ５ｊの起動後のユーザ登録処理を説明する。
アプリ５ｊを起動すると（ステップＳａ１）、ユーザ登録が処理済みか否かが判定される（ステップＳａ２）。
最初にアプリ５ｊを起動した際には、ユーザ登録が行われていないので、ユーザ登録を行うことになる。二回目以降のアプリ５ｊの起動では、既に、ユーザ登録が終わっていることになり、ユーザ登録の処理を終了し、アプリが起動することになる。
【０１３１】
ユーザ登録においては、個人ユーザＩＤと、個人パスワードの入力が促され（ステップＳａ３）、ユーザが個人ユーザＩＤと、個人パスワードを入力すると、入力された個人ユーザＩＤと、個人パスワードがスマートフォン３から管理端末としてのデータ管理サーバ５に送信される（ステップＳａ４）。
【０１３２】
データ管理サーバ５では、個人ユーザＩＤと、個人パスワードの受信に対応して顧客ＩＤが自動生成される（ステップＳｂ１）。また、受信した個人ユーザＩＤと、個人パスワードが顧客個人情報管理データベース５ａとしての個人情報データベースに登録する処理を行う（ステップＳｂ２）。
【０１３３】
また、スマートフォン３では、設定されたユーザＩＤをスマートフォン３内部の記憶手段に登録する（ステップＳａ５）。次に、個人情報の入力が促され、上述の氏名、生年月日等の個人情報を入力する（ステップＳａ６）。個人情報が入力されると、スマートフォン３からデータ管理サーバ５に個人情報の送信処理が行われ（ステップＳａ７）、スマートフォン３では、ユーザ登録処理が終了する。
また、データ管理サーバ５では、顧客個人情報管理データベース５ａに受信した個人情報を個人ユーザＩＤおよび顧客ＩＤに関連付けて登録し（ステップＳｂ３）、処理を終了する。
【０１３４】
上述のようにユーザ登録処理が終わると、メニュー画面が表示される。メニュー画面には、１、センサ登録、２、肌診断、３、詳細肌診断結果表示、４、ケアエステ、５、肌改善状況判定、６肌履歴表示が表示される。
この際に、未だ肌状態測定装置１を接続してアプリを起動したことがない場合には、メニュー１のセンサ登録処理を行うように促される。
図１１のフローチャートを参照してセンサ登録処理を説明する。
メニュー１が選択された段階、または、その後に肌状態測定装置１（センサ）が接続されているか否かが判定され（ステップＳｃ１）、肌状態測定装置１が接続されるのを待機する状態となる。
【０１３５】
肌状態測定装置１がスマートフォン３にＵＳＢインターフェース１３により接続されると、上述のようにＵＳＢインターフェース１３のデバイス・ディスクリプタのデータからセンサ種別を示すデータを読み取るとともに、ストリング・ディスクリプタから製品シリアルＮｏ．を読み取る（ステップＳｃ２）。製品シリアルＮｏ．から既に登録済みの肌状態測定装置１か否かが判定される（ステップＳｃ３）。登録済みの場合には、処理を狩猟する。
登録済みでない場合には、センサ種別と製品シリアルＮｏ．のデータをユーザ分析管理サーバ５に送信する。
【０１３６】
ユーザ分析管理サーバ５では、センサ種別と製品シリアルＮｏ．のデータを受信する（ステップＳｄ１）。ユーザ分析管理サーバ５では、製品シリアルＮｏ．の認証を行う（ステップＳｄ２）。なお、製品シリアルＮｏ．は、所定のアルゴリズムにより設定されており、ランダムに設定した文字列が正規の製品シリアルＮｏ．となる可能性は低いものとなっている。前記アルゴリズムに基づいて、製品シリアルＮｏ．が正規のものか否かが判定されることになる。なお、機器情報データベース５ｉに正規の製品シリアルＮｏ．が全て登録されているものとし、機器情報データベース５ｉで製品シリアルＮｏ．が検索できない場合い認証に失敗したものとしてもよい。
【０１３７】
また、製品シリアルＮｏ．の認証に失敗した場合には、対応するエラーメッセージ、たたえば、このセンサは使用できません等を生成する（ステップＳｄ３）。
また、製品シリアルＮｏ．の認証に成功した場合には、機器情報データベースで、既に同じ製品シリアルＮｏ．が他のスマートフォン３に対応する顧客ＩＤと関連づけられているか否かを判定するとともに、他のスマートフォン３の顧客ＩＤと既に関連付けられている場合に、対応付けられている顧客ＩＤが三つ未満か否かを判定する（ステップＳｄ４）。
【０１３８】
ここで、既に三つの顧客ＩＤが関連付けられている場合には、対応するエラーメッセージとして、「この肌状態測定装置１を利用するスマートフォン３の数が制限を超えているので、このスマートフォン３ではこの肌状態測定装置１を使用することができません」というメッセージが生成される（ステップＳｄ３）。
【０１３９】
製品シリアルＮｏ．に関連付けられている顧客ＩＤが３つ未満の場合には、この製品シリアルＮｏ．の肌状態測定装置１が使用可能になる。この場合にセンサ種別および製品シリアルＮｏ．が、センサ情報データベースとしての顧客個人情報管理データベースと、機器情報データベースに登録される（ステップＳｄ５）。
【０１４０】
次に、データ管理サーバ５における処理結果として、認証成功または認証失敗を示すデータがスマートフォン３に送信される（ステップＳｄ６）。また、認証失敗の場合には、上述のエラーメッセージがスマートフォン３に送信される。
スマートフォン３では、データが受信され（ステップＳｃ５）、認証成功を示すデータが受信するか否かで、登録完了か否かを判定する。（ステップＳｃ６）
【０１４１】
登録失敗の場合には、受信したエラーメッセージをディスプレイに表示し（ステップＳｃ７）、登録完了の場合には、スマートフォン３の内部の記憶手段にもセンサ種別と、製品シリアルＮｏ．を登録し（ステップＳｃ８）、スマートフォン３に肌状態測定装置１が接続された際に、この登録された製品シリアルＮｏ．を確認することで、上述のように登録済みの場合に、認証を行わないように制御する。
【０１４２】
次に、図１２のフローチャートを参照して、メニュー２の肌診断について説明する。まず、アプリを起動した際にメニュー画面が立ち上がる。ここで、肌状態測定装置１が接続されている場合には、肌状態測定装置１が接続されたか否かの判定で（ステップＳｅ１）、肌状態測定装置１が接続されたと判定され、センサＩＤとしての認証用文字列が登録ずみか否かを判定し（ステップＳｅ２）、登録されていない場合には、上述のセンサ登録処理（ステップＳｅ３）を行い、センサが登録済みの場合には、肌状態測定装置１が作動可能になり、作動させると肌状態測定装置１（センサ）から測定データが入力される（ステップＳｅ４）。
次に詳細診断を希望するか否かの入力、詳細診断に行う複数の企業のうちのどの企業を選択するか等を入力する（ステップＳｅ５）。
【０１４３】
さらに、肌状態測定装置１から入力した測定データ（センサデータ）、スマートフォン３に記憶されている顧客ＩＤ、測定データが肌状態測定装置１から入力したデータ入力日時をデータ管理サーバ５に送信する（ステップＳｅ６）。
データ管理サーバ５では、肌履歴データベース５ｂに、顧客ＩＤ、測定データ、データ入力日時を登録する（ステップＳｆ１）。
【０１４４】
測定データに基づき肌状態の解析を行う（ステップＳｆ３）。すなわち、肌基準値データベースに登録されている測定データから近似する測定データを選択し、当該測定データに対応する各項目のランクを決定する（ステップＳｆ３）。
肌解析結果および／または決定されたランクを肌履歴データベース５ｂに登録する（ステップＳｆ４）。
【０１４５】
上述のステップにおいて、詳細肌診断が希望されているか否かが判定され（ステップＳｆ５）、詳細肌診断が希望されている場合に、化粧品会社のサーバに測定データと、詳細診断に必要なデータ（例えば、年齢等）を化粧品会社等の詳細診断業者のサーバに送信する（ステップＳｆ６）。
化粧品会社のサーバでは、データ管理サーバ５から送信されたデータを受信した後に（ステップＳｇ１）、詳細肌診断の依頼を受諾したことを示すメッセージをデータ管理サーバ５に送信する（ステップＳｇ２）。また、詳細肌診断を開始する；。
【０１４６】
データ管理サーバ５では、上述のメッセージを受信するとともに（ステップＳｆ７）、データ管理サーバ５で行われた簡易診断の結果をスマートフォン３で表示するための表示用データを作成する（ステップＳｆ８）。
この表示用データをスマートフォン３に送信する（ステップＳｆ９）。
【０１４７】
スマートフォン３では、この表示用データを受信し（ステップＳｅ７）、簡易肌診断結果として、スマートフォン３のディスプレイに表示する（ステップＳｅ８）。
また、肌診断業者のサーバである化粧品会社のサーバにおいて、詳細肌診断が終了した際に（ステップＳｇ３）、詳細肌診断結果のデータをデータ管理サーバ５に送信する（ステップＳｇ４）。
【０１４８】
データ管理サーバ５では、このデータを受信し（ステップＳｆ１０）、詳細肌診断結果のデータを詳細肌診断結果データベース５ｅに書き込む（ステップＳｆ１１）。さらに、スマートフォン３のユーザに詳細破断診断が完了したとこを示すデータを送信する（ステップＳｆ１２）。
【０１４９】
スマートフォン３では、データ管理サーバ５からのデータを受信する（ステップＳｅ９）とともに、このデータに基づいてディスプレイに詳細肌診断が完了したことを示すデータをメッセージとして、スマートフォン３のディスプレイに表示する（ステップＳｅ１０）。なお、完了した詳細肌診断の結果は、ユーザがスマートフォン３を用いてデータ管理サーバ５の詳細診断結果データベースに読みにいくことで、スマートフォン３側で表示可能となるが、詳細診断結果をデータ管理サーバ５や、化粧品会社のサーバから電子メールを用いて、スマートフォン３に表示するものとしてもよい。
【０１５０】
なお、肌診断業者のサーバ６１においては、データ管理サーバ５からデータを送信してもらい、それを受信して、詳細肌診断に必要なデータを得ているが、肌診断業者のサーバ６２をクライアントとして、データ管理サーバ５の肌履歴データベース５ｂや、詳細肌診断結果データベース５ｅのアクセスが許可された指定部分にアクセスして、直接的にデータの読み込みや書き込みを行うようにしてもよい。
【０１５１】
次に、図１３のフローチャートを参照して、メニュー３の詳細肌診断結果表示処理について説明する。
スマートフォン３において、表示する詳細肌診断結果が最新の結果か過去の結果かを表示し（ステップＳｈ１）、どちらかを選択させる。表示したい詳細肌診断の結果が最新のものか過去のものかを判定する（ステップＳｈ２）。最新のものでない場合には、スマートフォン３からデータ管理サーバ５に、過去の詳細肌診断の日時データを要求する（ステップＳｈ３）。
【０１５２】
データ管理サーバ５では、上述の要求を受信し（ステップＳｉ１）、肌履歴データベース５ｂまたは詳細診断結果データベース５ｅを参照して、過去の詳細診断の日時データを収集する（ステップＳｉ２）。
収取された日時データをデータ管理サーバ５からスマートフォン３に送信する（ステップＳｉ３）。
スマートフォン３では、この日時データを受信し（ステップＳｈ４）、過去の詳細肌診断の日時をディスプレイに表示し、ユーザが日時を選択できるようにする（ステップＳｈ５）。
【０１５３】
ユーザが日時の画面表示から日時を選択すると、それに対応していつの詳細肌診断の結果かを特定し（ステップＳｈ６）、特定された日時の詳細肌診断結果の送信を要求する（ステップＳｈ７）。
なお、ステップＳｈ２で最新の詳細肌診断結果を表示すると判定された場合にも、ステップＳｈ６で、最新の詳細診断結果が特定され、ステップＳｈ７で、最新の詳細肌診断結果の送信を要求することになる。
【０１５４】
データ管理サーバ５では、この要求を受信し（ステップＳｉ４）、受信データに基づき、例えば、詳細診断結果データベースを検索して（ステップＳｉ５）、指定された日時の詳細肌診断結果をアドバイスデータと、推奨化粧品データとともにスマートフォン３に送信する（ステップＳｉ６）。
このデータを受信した（ステップＳｈ８）スマートフォン３では、詳細肌診断結果を表示する（ステップＳｈ９）。この際に、推奨化粧品や、アドバイスを表示する。
【０１５５】
次に、図１４のフローチャートを参照して、メニュー４のケアエステ処理について説明する。
メニュー４を選択した場合には、スキンケア装置２としてのケアエステのいずれかが装着されたか否かを判定し（ステップＳｊ１）、装着されない場合には、再び判定処理に戻ることにより、スキンケア装置２が装着されるまで待機する状態になる。
【０１５６】
スキンケア装置２が装着された場合には、肌状態測定装置１の場合と同様にスキンケア装置２の種別と製品シリアルＮｏ．がスマートフォン３に読み込まれ、肌状態測定装置１の場合と同様に製品シリアルＮｏ．が登録ずみか否かが判定され（ステップＳｊ２）、登録済みでない場合には、肌状態測定装置１の場合と同様に、スキンケア装置２の製品シリアルＮｏ．を登録する処理が行われる（ステップＳｊ３）。本登録処理は、前述のセンサ登録処理と同様なので説明は省略する。
【０１５７】
既に、製品シリアルＮｏ．が登録されている場合には、スキンケア装置２が駆動開始したか否かを判定し（ステップＳｊ４）、駆動開始でない場合には、再び駆動開始か否かの判定に戻ることで、駆動開始を待機する状態になる。
駆動開始か否かの判定は、スキンケア装置２の電源を監視することで行われる。
【０１５８】
スキンケア装置２が駆動開始した後には、スキンケア装置２が駆動停止するか否かを判定し（ステップＳｊ５）、駆動停止でない場合に、駆動停止か否かの判定に戻ることで、駆動停止を待機する状態となる。スキンケア装置２が駆動停止した場合には、駆動開始の日時と、駆動開始から駆動停止までの時間をスマートフォン３の内部の記憶手段に記憶する（ステップＳｊ６）。
【０１５９】
スキンケア装置２が外されるか否かを判定し（ステップＳｊ７）、外されない場合には、再び、スキンケア装置２の駆動開始を待機するが、この状態で、スキンケア装置２が外された場合には、スキンケア装置２の駆動開始を待たずに、ステップＳｊ７に戻り、スキンケア装置２が外されたと判定する。
スキンケア装置２が外された段階で、データ管理サーバ５と通信可能な状態ならば、上述のスキンケア装置２の駆動開始日時と、駆動時間をデータ管理サーバ５に送信する（ステップＳｊ８）。なお、データ管理サーバ５との通信回線が非接続状態の場合には、接続状態となってから、記憶されている駆動開始日時や駆動時間をデータ管理サーバ５に一括して送信する。
【０１６０】
データ管理サーバ５では、スキンケア装置２の駆動開始日時と駆動時間を受信し、（ステップＳｋ１）、これをケアエステデータベース５ｃに登録する。
【０１６１】
次にメニュー５の肌改善状況判定（最新の診断結果と基準日の診断結果とを比較）を図１５のフローチャートを参照して説明する。
メニュー５を選択すると、診断結果の比較における基準日を入力するように促しメッセージが表示される（ステップＳｌ１）。
【０１６２】
基準日を入力された場合には、入力された基準日を設定する。なお、基準日が所定時間経過しても入力されない場合には、その前にメニュー５が選択された場合に入力した基準日を基準日とするようになっている（ステップＳｌ２）。
すなわち、基準日が入力されたか否かの判定（ステップＳｌ３）で、メニュー５が選択されてから所定時間が経過しても基準日が入力されないと判定された場合には、スマートフォン３の内部の記憶手段に記憶されている以前の基準日が設定される（ステップＳｌ５）。所定時間前に基準日が入力された場合には、入力された基準日がスマートフォン３の内部の記憶手段に記憶される（ステップＳｌ４）。
【０１６３】
基準日が決定すると、スマートフォン３からデータ管理サーバ５に、基準日が送信される（ステップＳｌ６）。データ管理サーバ５では、基準日を受信し（ステップＳｍ１）、受信した基準日の簡易診断結果データを肌履歴データベース５ｂから検索する（ステップＳｍ２）。
次に、最新の簡易診断結果データを肌履歴データベース５ｂから検索する（ステップＳｍ３）。
次にオプションが設定されているか否かを判定し（ステップＳｍ４）、オプションが設定されていない場合には、基準日の簡易診断結果データと、最新の簡易診断結果データとをスマートフォン３に送信する（ステップＳｍ７）。
【０１６４】
なお、オプションとして、基準日の簡易診断結果と。最新の簡易診断結果だけではなく、その間の監視診断結果を全て検索するものとしてもよい（ステップＳｍ５）。さらに、オプションとして、使用化粧品履歴データベースを参照して、基準日から最新の診断結果の日時の間の使用した化粧品の履歴のデータを読み出すものとしてもよい（ステップＳｍ６）。
【０１６５】
このようなオプションが設定されている場合には、上述のように基準日から最新までの間の簡易診断結果のデータと、それらの間に使用した化粧品の履歴のデータがスマートフォン３に送信される（ステップＳｍ７）。
【０１６６】
スマートフォン３では、これらのデータを受信し（ステップＳｌ７）、基本的には、基準日の簡易診断結果のデータと、最新の簡易診断結果のデータをと比較した状態に表示する（ステップＳｌ８）。
また、オプションが設定されている場合には（ステップＳｌ９）、基準日と最新との間の簡易診断結果を表示するとともに、この期間における化粧品の使用履歴を表示する（ステップＳｌ１０）。
【０１６７】
なお、データ管理サーバ５において、ケアエステデータベース５ｃを参照し、基準日から最新の簡易診断の日時まで、スキンケア装置２の使用履歴を取得し、取得されたスキンケア装置２の使用履歴を表示するものとしてもよい。
基準日の簡易診断結果と、最新の簡易診断結果を同時に表示させることで、肌の状態が改善しているのか、変わらないのか、悪化しているのかを知ることができる。
【０１６８】
また、基準日の簡易診断結果と、最新の簡易診断結果との間の簡易診断結果を全部表示することで、より詳しく肌の状態の変遷を知ることができる。
また、その間の化粧品の使用履歴や、スキンケア装置２の使用履歴を見ることで、化粧品やスキンケア装置２にどの程度の効果があるかを判断することができる。なお、簡易診断結果に代えて、詳細診断結果に対しても同様の処理を行い、基準日と最新の詳細診断結果を比較可能にスマートフォン３に表示するものとしてもよい。
【０１６９】
次にメニュー６の肌履歴表示（基準日から最新の肌診断までの肌履歴を表示）を図１６のフローチャートを参照して説明する。
メニュー６を選択すると、診断結果の比較における基準日を入力するように促すメッセージが表示される処理が行われる（ステップＳｏ１）。
【０１７０】
この場合に、ユーザにより基準日が入力されることになる（ステップＳｏ２）。なお、基準日が所定時間経過しても入力されない場合には、以前にメニュー６が選択された場合に入力された基準日を基準日とするようになっている。
すなわち、メニュー６が選択されてから所定時間が経過しても基準日が入力されない場合には、スマートフォン３の内部の記憶手段に記憶されている以前の基準日が設定される。所定時間前に基準日が入力された場合には、入力された基準日がスマートフォン３の内部の記憶手段に記憶される。
【０１７１】
すなわち、所定時間内に基準日が入力されるか否かを判定し（ステップＳｏ３）、新たな基準日が入力された場合には、入力された基準日をスマートフォン３の内部に設けられた記憶手段に記憶し（ステップＳｏ４）、入力されなかった場合には、以前に内部に記憶された基準日を読み出して使用する（ステップＳｏ５）。
【０１７２】
基準日が決定すると、スマートフォン３からデータ管理サーバ５に、基準日が送信される（ステップＳｏ６）。データ管理サーバ５では、基準日を受信し（ステップＳｐ１）、受信した基準日から最新の簡易診断結果までの期間の簡易診断結果データを肌履歴データベース５ｂから検索して取得する（ステップＳｐ２）。
次に、オプションが設定されているか否かを判定し（ステップＳｐ３）、オプションが設定されていない場合には、基準日から最新の簡易診断結果が得られるまでの期間の全ての簡易診断結果のデータをスマートフォン３に送信する（ステップＳｐ６）。
【０１７３】
また、オプションが設定されている場合には、オプションとして、データ管理サーバ５において、ケアエステデータベース５ｃを参照し、基準日から最新の簡易診断の日時まで、スキンケア装置２の使用履歴データを取得する（ステップＳｐ４）。
また、オプションが設定されている場合には、オプションとして、使用化粧品履歴データベース５ｄを参照して、基準日から最新の診断結果の日時の間の使用した化粧品の履歴のデータを取得する（ステップＳｐ５）。
【０１７４】
このようなオプションが設定されている場合には、上述のように基準日から最新の簡易診断の日時までの間の簡易診断結果のデータと、それらの間に使用したスキンケア装置２および化粧品の履歴のデータがスマートフォン３に送信される。
【０１７５】
スマートフォン３では、これらのデータを受信し（ステップＳｏ７）、基準日と最新の簡易診断の日時との間の全ての簡易診断結果を時系列に履歴として例えばグラフで表示する（ステップＳｏ８）。また、オプションが設定されているか否かを判定し（ステップＳｏ９）、オプションが設定されている場合には、この期間におけるスキンケア装置２および化粧品の使用履歴を表示する（ステップＳｏ１０）。
【０１７６】
この場合も、肌の状態の推移を知ることができるとともに、化粧品やスキンケア装置２の効果を判定することができる。また、この場合にも、簡易診断結果に代えて詳細診断結果を取得してスマートフォン３に表示するものとしてもよい。
このように、時系列に並んだデータとして、測定データや分析結果を見ることにより、肌の状態が改善しているのか、否かを判定することができる。
【０１７７】
また、測定データとして、画像データを順次表示していくことにより、動画として表示することも可能であるが、データ数が少ない可能性が高い。この場合にモーフィングにより各画像データの間を補完することにより、滑らかな画像データとして、肌の変化を見ることができる。
【０１７８】
また、肌の状態が必ずしも良好な状態に保持されるとは限らず、一時的に肌の状態が悪化することがある。例えば、夏場になると毛穴が目立つようになる場合ある。このような状況で自分の肌の拡大画像を見るのを嫌がる場合がある。そこで、上述のように画像データを順次表示することで、肌の経時変化を分かり易く示す場合に、肌の状態がよくない時期の画像データをカットするものとしてもよい。この場合に、カットされた画像データの前後の画像データにおいてモーフィングを適用することで、一部画像データをカットしても分かりづらいものとすることができる。なお、肌の状態が悪化しているのを分かりづらくしてしまうことから、音声や画面表示により肌の状態が悪化していることをアドバイスすることが好ましい。
【０１７９】
また、スマートフォン３には、スキンケア装置の制御データを記憶する記憶領域が備えられているとともに、ユーザが設定を変更して制御データを更新できるようになっている。例えば、スキンケア装置の出力レベルをユーザが任意に設定できる。また、この記憶領域に記憶されている制御データにデータ管理サーバ５がアクセス可能となっており、データ管理サーバから制御可能になっている。
【０１８０】
次に、図１７のフローチャートを参照して、使用化粧品履歴データベース５ｄに使用化粧品のデータを入力する方法を説明する。ユーザは、スマートフォン３から入力する化粧品の種別、例えば、ファンデーション、乳液、化粧水等である（ステップＳｕ１）。次に
化粧品名を入力する（ステップＳｕ２）。次に入力完了か否かを判定する（ステップＳｕ３）。ここで、複数の化粧品を登録する場合には、再び、化粧品の種別の入力を行う。入力が終了した場合には、入力したデータと顧客ＩＤとをデータ管理サーバ５に送信する。データ管理サーバでは、入力データを受信し（ステップＳｖ１）、使用化粧品履歴データベース５ｄの顧客ＩＤに対応する記憶領域に化粧品名とデータ入力日を格納する。
この使用化粧品履歴データベース５ｄにより、化粧品の登録日から化粧品がなくなる時期を予測することができる。この場合に、化粧品がなくなる時期に化粧品のアドバイスをしたりすることができる。
【０１８１】
次に、図１８のフローチャートを参照して。二次利用者端末としての契約者クライアント６から上述の測定データやそれに付帯する付帯データを取得する方法を説明する。
まず、化粧品会社等の契約者クライアント６からユーザＩＤとパスワードを入力させる（ステップＳｑ１）。
【０１８２】
次に、検索条件を入力させる（ステップＳｑ２）。例えば、検索条件キーを入力させる。次に、上述の検索条件でデータを出力するように要求する出力要求データを入力する（ステップＳｑ３）。入力されたユーザＩＤ、パスワード、検索条件、出力要求データをデータ管理サーバ５に送信する（ステップＳｑ４）。
【０１８３】
データ管理サーバ５では、上述のデータを受信し（ステップＳｒ１）、ユーザＩＤおよびパスワードの認証処理を行う（ステップＳｒ２）。認証結果を判定し（ステップＳｒ３）、認証されない場合には、認証されなかったことを示すエラーメッセージを作成する（ステップＳｒ９）。
ユーザＩＤとパスワードが認証された場合には、受信した検索条件がデータの二次利用者としてのユーザに許可された検索条件か否かをデータ二次利用者アクセス権管理データベース５ｈの中の利用者検索レベルを参照して照合する（ステップＳｒ４）。
【０１８４】
照合結果を判定し（ステップＳｒ５）、照合した結果許可されない検索条件の場合には、照合結果に対応するエラーメッセージを作成する（ステップＳｒ９）。また、検索条件が照合された場合には、次に、入力された出力要求が二次利用者に許可されたアクセスレベルのデータか否かを利用者アクセルレベルを参照して照合する（ステップＳｒ６）。照合結果を判定し（ステップＳｒ７）、照合されない場合に、照合結果に対応するエラーメッセージを作成する（ステップＳｒ９）。
【０１８５】
出力要求データが照合された場合には、照合された検索条件で検索されるとともに、出力要求データとして要求されたデータを各データベースから取得し（ステップＳｒ８）、取得されたデータを送信する（ステップＳｒ１０）。また、いずれかの段階で照合されなかった場合には、作成されたエラーメッセージを送信する。
【０１８６】
二次利用者端末（契約者クライアント６）では、データを受信し（ステップＳｑ５）、データがエラーメッセージか否かを判定し（ステップＳｑ６）、エラー場合には、エラーメッセージを表示し（ステップＳｑ７）、データが出力要求されたデータの場合に、データを画面表示するか、データをファイルとして出力するとともに記憶する（ステップＳｑ８）。
【０１８７】
これにより、測定データ等の二次利用者は、アクセスレベルで設定されたデータの種類の範囲のデータを、検索レベルで設定された検索条件キーを用いて取得することができる。すなわち、コストに見合ったデータを取得して、利用することができる。
【０１８８】
次に、データの二次利用者によるデータの取得の変形例を説明する。
図１９のフローチャートに示すように、二次利用者端末である契約者クライアント６において、オペレータにユーザＩＤとパスワードを入力させる（ステップＳｓ１）。
【０１８９】
入力されたユーザＩＤとパスワードとをデータ管理サーバ５に送信する（ステップＳｓ２）。データ管理サーバ５では、ユーザＩＤとパスワードを受信し（ステップＳｔ１）、このユーザＩＤとパスワードの認証（照合）処理を行う（ステップＳｔ２）。照合されたか否かを判定し（ステップＳｔ３）、照合されなかった場合には、対応するエラーメッセージを作成する（ステップＳｔ４）。
【０１９０】
照合された場合には、ユーザＩＤに対応する顧客ＩＤに基づいてデータ二次利用者アクセス権管理データベース５ｈを参照して、二次利用者に許可されている検索条件キーを抽出する（ステップＳｔ５）。
【０１９１】
また、同様に、データ二次利用者アクセス権管理データベース５ｈを顧客ＩＤで検索して、二次利用者にアクセス可能とされたデータ項目（種類）を抽出する（ステップＳｔ６）。
【０１９２】
抽出された検索条件キーおよびデータ項目をデータテーブルにセットする（ステップＳｔ７）。
前述のエラーメッセージもしくはデータテーブルを契約者クライアント６に送信する（ステップＳｔ８）。
契約者クライアント６は、エラーメッセージまたはデータテーブルを受信する（ステップＳｓ３）。
【０１９３】
エラーメッセージを受信したか否かが判定され（ステップＳｓ４）、エラーの場合には、エラーメッセージを表示する（ステップＳｓ５）。エラーでない場合には、契約者クライアント６のディスプレイに許可された検索条件キーと、アクセス可能なデータ項目を表示する（ステップＳｓ６）。
【０１９４】
この画面表示に基づいて検索条件キーと前記データ項目の範囲の出力要求データを入力させ（ステップＳｓ７）、入力されたデータをデータ管理サーバ５に送信する（ステップＳｓ８）。データ管理サーバ５では、検索条件キーと、アクセスが認められたデータ項目とに基づいて、各データベースから検索条件に合致し、かつ、アクセスが認められたデータ項目のデータを取得する（ステップＳｔ１０）。
【０１９５】
取得されたデータを契約者クライアント６に送信する（ステップＳｔ１１）。契約者クライアント６では、上述のデータを受信し（ステップＳｓ９）、受信したデータを契約者クライアント６のディスプレイに表示するか、ファイルとして出力して記憶する（ステップＳｓ１０）。
【０１９６】
この場合も上述の場合と同様に設定された検索条件キーの範囲で、アクセス権で認められたデータ項目のデータ得られるとともに、利用可能な検索条件キーおよびアクセスが認められるデータ項目が表示されるので、エラーを低減することができる。
【０１９７】
なお、インターネット４を介する通信においては、データを暗号化して行うことが好ましい。また、クライアントからのデータの入力は、例えば、サーバ側がウェブサイトをインターネット４上に公開可能なウェブサーバとしての機能を有するものとし、クライアントは、ウェブサイトを表示可能なウェブブラウザとしての機能を有するものとし、ウェブサイトのウェブページ上でデータ入力を可能としてもうよい。この場合には、データ入力時の暗号化として、ＳＳＬ暗号や、ＴＬＳ暗号を好適に用いることができる。
【０１９８】
本実施形態のスキンケア装置２は、制御部１２を備えておらず、スマートフォン３側に備える制御部１２により、スキンケア装置２の作動部２１へ直接出力することを可能としている。係るスキンケア装置２とスマートフォン３の接続関係について以下に説明する。
【０１９９】
まず、スキンケア装置２とスマートフォン３とをＷｉ−Ｆｉ（登録商標、以下同じ）やブルートゥースを用いて接続（無線接続）する形態を図２０（Ａ）に示す。スキンケア装置２は、作動部２１、把持部２２、電源、及びブルートゥース用の受信部を備え、スマートフォン３は、ブルートゥース用の送信部を備える。スキンケア装置２における電源及び受信部は、把持部２２に内蔵して設けると良い。
【０２００】
次に、スキンケア装置２とスマートフォン３とをＵＳＢインターフェース１３を介して（有線）接続する形態を図２０（Ｂ）に示す。この場合、スキンケア装置２は作動部２１と把持部２２を備えていれば良く、電源やブルートゥース（無線通信）用の受信部を省略することができるので、スキンケア装置２の構成を簡略化でき、コスト削減に寄与できる。
【０２０１】
なお、スキンケア装置２として、イオンクレンジング装置やイオン導入装置を用意する場合、作動部２１として電極部を設け、把持部２２に補助電極部を設けることにより、人体を介して電極部と補助電極部間を導通状態とすることができ、これにより、作動部２１の形状の自由度が増し、目元や口元、鼻まわりといった細かな部分も施療することができる。もちろん、作動部２１としてスキンケア装置２のヘッド部分の肌当接部分に対をなす電極部を設け、人体を介してこの電極間を導通状態とするものでも良い。また、スキンケア装置２にパイロットランプ（表示部）を設ければ、スキンケア装置２の電源ＯＮ／ＯＦＦ状態が確認できる。また、スマートフォン３に作動部２１（電極部）と把持部２２（補助電極部）間の導通状態を確認できる表示手段を設ければ、スキンケア装置２にて顔の施療中であっても、スマートフォン３にて電極部間の導通状態を確認することができる。また、スマートフォン３により制御したスキンケア動作に関するデータをスキンケア装置２が読み込むことでスキンケア装置２の設定が完了する構成とすれば、スキンケア装置２の操作部としてはスタート／ストップスイッチ（操作部）を設けるだけの構成が可能となる。なお、操作部としては、この他にスキンケア動作の種類や強弱レベルを選択できるスイッチを配設でき、係るスイッチは、スキンケア装置２及びスマートフォン３のどちらに配設しても良いが、スマートフォン３に配設すれば、スキンケア装置２にて施療しながらスキンケア動作の種類や強弱レベルの確認、各種スイッチの選択が可能となる。さらに、把持部２２と作動部２１とは一体型ではなく、図２０（Ｃ）に示すように、把持部２２に各種の作動部２１が着脱可能な構成としても良く、これにより、更なるコスト削減に寄与できる。また、スキンケア装置２とスマートフォン３との接続手段は、イヤホン端子やマイクロＵＳＢによるものであっても良い。
【０２０２】
続いて、スキンケア装置２の別実施形態を図２１（Ａ）及び図２１（Ｂ）にて説明する。図２１（Ａ）に示すスキンケア装置２は、作動部２１、把持部２２、電源、制御部、受信部、記憶部及び操作部を備え、スマートフォン３は、送信部を備えており、スキンケア装置２とスマートフォン３とは、ブルートゥースによって接続している。また、必要に応じて把持部２２にパイロットランプを設ける。係る構成によれば、スマートフォン３にて取得したスキンケア動作に関するデータをスマートフォン３に送信して記憶させることができるので、スキンケア装置２を風呂場や洗面所にて使用する場合でも、スマートフォン３と接続せずに使用でき、スキンケア装置２の使い勝手が良くなる。また、図２１（Ｂ）に示すように、スキンケア装置２とスマートフォン３とをＵＳＢインターフェース１３を介して接続しても良く、この場合は、スキンケア装置２における受信部を省略することができる。
【０２０３】
続いて、スキンケア装置２の更に別の実施形態を図２１（Ｃ）にて説明する。図２１（Ｃ）に示すスキンケア装置２は、作動部２１と把持部２２とを備え、制御部１２、記憶部、電源、受信部を備える別体専用部品２４を接続することが可能な構成となっている。係る構成とすれば、使用者がスマートフォン３（ユーザクライアント）を持っておらず、しかも、スキンケア装置２に制御部１２が備えられていなくとも、スキンケア装置２による施療が可能となる。なお、別体専用部品２４は有線または無線によってスマートフォン３と接続可能な構成であっても良く、これにより、スマートフォン３によって新たに取得したスキンケアに関するデータを記憶部に記憶させ、スキンケアを実行することができる。
【０２０４】
本実施形態においては、スキンケア装置２とスマートフォン３のいずれかに、制御部・表示部・操作部・記憶部・電源を備えているものである。図２２に示すように、スキンケア装置２とスマートフォン３のそれぞれに、制御部・表示部・操作部・記憶部・電源を備えたものでも良い。また、スマートフォン３に制御部・表示部・操作部・記憶部・電源を備えていれば、図２０（Ｂ）に示すように、スキンケア装置２の構成を作動部２１と把持部２２との構成とできる。また、スキンケア装置２とスマートフォン３との接続は、有線でも無線でも良い。
【０２０５】
本実施形態においては、作動部２１に昇圧装置・定電流装置を設けても良い。また、スマートフォン３と接続した肌状態測定装置１やスキンケア装置２を使用中に電話着信があった場合、肌状態測定装置１やスキンケア装置２は保留状態となり、着信応答できるようにするのが良い。なお、着信応答した時には、肌状態測定装置１やスキンケア装置２の施療タイマーは中断され、通話が終わると施療タイマーが再開するようにするのが好ましい
【０２０６】
また、スキンケア装置２で施療中に、スマートフォン３の内臓マイクを活用して、施療者の音声を認識できるよう音声認識機能を備えれば、例えば、使用中に肌にピリピリ感を感じたとき、音声で「電流を下げる」「電源オフ」などの指示音を発声することにより、上記音声認識機能で、その指示音を判別して、制御部からの出力をリアルタイムに制御することができる。
【０２０７】
さらに、スマートフォン３の内臓カメラ機能を用いて、施療中のスキンケア装置２の顔面等の人体上での動きを画像認識して作動部の軌跡を蓄積するようにすれば、施療もれ、同一箇所の過剰施療等を画面上に表示する人体上を軌跡で追跡表現することができ、不慣れな人でも使い易いものとなる。
【符号の説明】
【０２０８】
１        肌状態測定装置
２        スキンケア装置
３        スマートフォン（ユーザクライアント）
４        インターネット（ネットワーク）
５        データ管理サーバ
６        契約者クライアント
５１      ユーザデータ用データベース
５２      測定データ用データベース
５３      データ分析用データベース
５４      契約者用データベース
【図１】
2014014516.tif 000017
【図２】
2014014516.tif 000018
【図３】
2014014516.tif 000019
【図４】
2014014516.tif 000020
【図５】
2014014516.tif 000021
【図６】
2014014516.tif 000022
【図７】
2014014516.tif 000023
【図８】
2014014516.tif 000024
【図９】
2014014516.tif 000025
【図１０】
2014014516.tif 000026
【図１１】
2014014516.tif 000027
【図１２】
2014014516.tif 000028
【図１３】
2014014516.tif 000029
【図１４】
2014014516.tif 000030
【図１５】
2014014516.tif 000031
【図１６】
2014014516.tif 000032
【図１７】
2014014516.tif 000033
【図１８】
2014014516.tif 000034
【図１９】
2014014516.tif 000035
【図２０】
2014014516.tif 000036
【図２１】
2014014516.tif 000037
【図２２】
2014014516.tif 000038